(57)【特許請求の範囲】
【請求項１】
血管フィルタデバイスであって、
支持部（２、３、４）と、
血管を通過する血栓を中心的に捕捉するように構成された一つ以上のフィルタ要素を有するフィルタ（６）と、
閉じたろ過状態にフィルタを保持するため及び一定期間後にフィルタを開状態に変換するために解放するためのホルダ（８）とを備え、
フィルタは前記変換後に捕捉された血栓を保持するようになっている、血管フィルタデバイス。
【請求項２】
請求項１記載の血管フィルタデバイスにおいて、
少なくともいくつかのフィルタ要素（６）は、保持された血塊（Ｃ）によって完全に開くことが阻止されるために、ホルダによる解放後に閉じた状態のままにするように構成される、血管フィルタデバイス。
【請求項３】
請求項１記載の血管フィルタデバイスにおいて、
フィルタ要素（６）は、血流の作用に基づいて保持された血塊によってかけられた力によって対向された付勢レベルで開状態に付勢されている、血管フィルタデバイス。
【請求項４】
請求項１乃至３のうちのいずれか一つに記載の血管フィルタデバイスにおいて、
複数のフィルタ要素は、フィルタ要素の端部間の頂部（８）において収束するようになっており、
閉じた状態では、ホルダは、血栓を捕捉するための近位コーンを複数のフィルタ要素の近位端部と共に形成する頂部で相互連結された複数のフィルタ要素を保持し、
複数のフィルタ要素は、変換時に血塊が存在する場合には変換後に近位コーン形状を保持するようになっている、血管フィルタデバイス。
【請求項５】
請求項１又は２記載の血管フィルタデバイスにおいて、
少なくとも一つのフィルタ要素（４５）は、改善された血塊保持のために閉じた状態のときに近位端部において半径方向内方に導かれるように形状づけられ、
少なくとも一つのフィルタ要素（４５）は、開状態になるときに、フィルタ要素上の内皮細胞増殖を促進するために近位端部において開状態に外方に広がる、血管フィルタデバイス。
【請求項６】
請求項１乃至５のうちのいずれか一つに記載の血管フィルタデバイスにおいて、
少なくともいくつかのフィルタ要素（４４−４７）は、ループされ、互いに相互係合する、血管フィルタデバイス。
【請求項７】
請求項６記載の血管フィルタデバイスにおいて、
少なくとも一つのフィルタ要素は、ループ内にフィルタアーム（５０）を含む、血管フィルタデバイス。
【請求項８】
請求項１乃至７のうちのいずれか一つに記載の血管フィルタデバイスにおいて、
少なくとも一つのフィルタ要素（４４−４７）は、開状態に付勢されるために、支持部材に片持ち梁のように連結される、血管フィルタデバイス。
【請求項９】
請求項８記載の血管フィルタデバイスにおいて、
前記要素は、遠位方向に延びる支持フープ（２１）によって支持部の近位端部に連結され、前記要素は、支持フープ内にある、血管フィルタデバイス。
【請求項１０】
請求項１乃至９のうちのいずれか一つに記載の血管フィルタデバイス（１６０）において、
少なくとも一つのフィルタ要素は、アームの形状であり、アームは曲がっている、血管フィルタデバイス。
【請求項１１】
請求項１０記載の血管フィルタデバイス（２２０）において、
少なくとも二つのアームは、閉じた状態においてねじれられた形状であり、血塊を分解するのを助けるために変換時に解放するように形状づけられる、血管フィルタデバイス。
【請求項１２】
請求項１乃至１１のうちのいずれか一つに記載の血管フィルタデバイス（３２０、３４０）において、
フィルタは、近位領域及び遠位領域を備え、ホルダは、変換時に近位領域を解放し、変換後に血塊を保持するために遠位領域を残すようになっており、
遠位領域は、コーン形状であり、近位方向に面する頂部を有し、
ホルダは、時間後に遠位領域を解放するようになっており、フィルタ要素は、半径方向外方に付勢されて解放時に血管壁に血塊を押しつける、血管フィルタデバイス。
【請求項１３】
請求項１２記載の血管フィルタデバイス（３４０）において、
近位領域は、遠位領域よりも少ないフィルタ要素を有する、血管フィルタデバイス。
【請求項１４】
請求項１記載の血管フィルタデバイス（３６０）において、
フィルタは、近位領域及び遠位領域を備え、ホルダは、変換時に近位領域を解放し、変換後に血塊を保持するために遠位領域を残すようになっており、
前記二つの領域は、遠位方向に面する頂部を有する二つのコーンによって形成される、血管フィルタデバイス。
【請求項１５】
請求項１乃至１４のうちのいずれか一つに記載の血管フィルタデバイス（３６０、４００）において、
少なくともいくつかのフィルタ要素は、変換後に血塊保持クラスプを形成するようになっている、血管フィルタデバイス。
【請求項１６】
請求項１５記載の血管フィルタデバイスにおいて、
フィルタ要素（４０２、５２２）は、Ｌ字状セグメントを備え、Ｌ字状セグメントは、変換後に血塊を保持するように形状づけられ、
Ｌ字状セグメントは、遠位方向に延びる第１の長さと、第１の長さに対して鋭角で近位方向に延びる第２の長さとを備える、血管フィルタデバイス。
【請求項１７】
請求項１乃至１５のうちのいずれか一つに記載の血管フィルタデバイス（４００、５６０）において、
少なくともいくつかのフィルタ要素は、各々、遠位方向に延びる第１セグメントと、近位方向に延びる第２セグメントに対する曲がりを備え、
少なくともいくつかのフィルタ要素の第２セグメントは、閉じた状態で環状捕捉領域を提供するためにホルダによって接合される、血管フィルタデバイス。
【請求項１８】
請求項１乃至１７のうちのいずれか一つに記載の血管フィルタデバイスにおいて、
フィルタは、拡張構造を備え、一方方向に拡張するようになっており、フィルタ要素、支持部又は血管壁に抗して血塊を押しつけるために、変換後に半径方向のコンポーネントを有し、
拡張構造は、半径方向に拡張可能な格子（６２１）の形態である、血管フィルタデバイス。
【請求項１９】
請求項１乃至１８のうちのいずれか一つに記載の血管フィルタデバイスにおいて、
デバイスは、さらに、フィルタの上流側にある血塊への衝突のための事前フィルタ（６６３）を備える、血管フィルタデバイス。
【請求項２０】
請求項１９記載の血管フィルタデバイスにおいて、
事前フィルタは、支持部を横切って延びる少なくとも一つの部材（６６３）の形態であり、
事前フィルタは、血塊を切断するように形状づけられる、血管フィルタデバイス。
【請求項２１】
請求項１乃至２０のうちのいずれか一つに記載の血管フィルタデバイス（７４０、７８０）において、
少なくとも一つのフィルタ要素は、開状態に半径方向外方に付勢された格子の形態である、血管フィルタデバイス。
【請求項２２】
請求項１乃至２１のうちのいずれか一つに記載の血管フィルタデバイス（８６０）において、
少なくともいくつかのフィルタ要素は、血塊溶解を援助するために段階状形状を有する、血管フィルタデバイス。
【請求項２３】
請求項１乃至２２のうちのいずれか一つに記載の血管フィルタデバイス（９４０）において、
少なくともいくつかのフィルタ要素は、それらの長さに沿って血塊保持突起を有する、血管フィルタデバイス。
【請求項２４】
請求項１乃至２３のうちのいずれか一つに記載の血管フィルタデバイス（９８０、１０００）において、
少なくともいくつかのフィルタ要素は、巻かれ、巻かれた状態でホルダによって保持され、変換時に捕捉された血塊を分解するために捕捉された血塊に衝撃を与える動作で解かれるように配置される、血管フィルタデバイス。
【請求項２５】
請求項１乃至２４のうちのいずれか一つに記載の血管フィルタデバイスにおいて、
少なくともいくつかのフィルタ要素は、挿入されたデバイスがフィルタ要素を把持し、捕捉された血塊を切断する動作でフィルタ要素を内方に引っ張るのを許容する特徴を含む、血管フィルタデバイス。
【請求項２６】
請求項１乃至２５のうちのいずれか一つに記載の血管フィルタデバイスにおいて、
少なくとも一つのフィルタ要素（１０５５）は、フィルタ要素が開位置にあるときに血管壁の周囲に適合する弧状の外形で形状づけられている、血管フィルタデバイス。
【請求項２７】
請求項１乃至２６のうちのいずれか一つに記載の血管フィルタデバイスにおいて、
少なくとも一つのフィルタ要素は、ホルダによって支持部に連結され、支持部に対して４０度以下の鋭角で延びる、血管フィルタデバイス。
【請求項２８】
請求項１乃至２７のうちのいずれか一つに記載の血管フィルタデバイス（１１７１）において、
少なくとも一つのフィルタ要素は、閉じた状態で圧縮され、開状態で長い実質的に縦方向に直線形状に逆戻りする縦方向の曲部を有する、血管フィルタデバイス。
【請求項２９】
請求項１乃至２８のうちのいずれか一つに記載の血管フィルタデバイスにおいて、
デバイスは、複数のフィルタを備え、フィルタの少なくとも一つは、より近位的なフィルタの変換後の中間段階中に血栓を捕捉するようになっている、血管フィルタデバイス。
【発明の詳細な説明】
【技術分野】
【０００１】
本発明は、血管フィルタデバイスに関する。
【背景技術】
【０００２】
血管に支持されている血管フィルタを提供することが知られている。それは、ステントのようにすることができる支持部を含む。そのようなデバイスは、我々の先のＷＯ２００８／０１０１９７号のＰＣＴの明細書に記載されている。そのようなデバイスは、ホルダによって閉じた状態に保持された多数のフィルタ要素を有する。予め決められた６０乃至９０日である制限された期間の間ろ過が行われるようにホルダは生物分解性である。この時間の終了時にフィルタは、血流を制限しないでろ過が終了する開状態に転換する。その後、デバイスは、元の位置に残り、時間をかけてフィルタ要素の内皮カバレッジがある。
【発明の概要】
【発明が解決しようとする課題】
【０００３】
ＷＯ０２／２２０４８号は、様々なフィルタ要素を記載し、その一つ（図１０）は、血塊（血栓）が血管壁に抗して外周囲に導かれるように傾斜されたフィルタのスポークを相互連結する細かい網を有する。
【０００４】
可変タイプの多くのデバイスの問題は、捕捉された血塊が解放されて変換後にデバイスを超えて流れるということである。本発明は、この問題を処理する。
【０００５】
この明細書では、用語”近位”及び”遠位”は、血流の流れに関連し、近位部分は、遠位部分の上流側である。
【課題を解決するための手段】
【０００６】
一態様では、本発明は、支持部と、血管を通過する血栓を捕捉するように構成された一つ以上のフィルタ要素を有するフィルタとを備える血管フィルタデバイスを提供する。ホルダは、閉じたろ過状態にフィルタを保持し、一定期間後にフィルタを開状態に変換するために解放する。フィルタは前記変換後に捕捉された血栓を保持するようになっている。
【０００７】
一態様では、少なくともいくつかのフィルタ要素は、保持された血塊によって完全に開くことが阻止されるために、ホルダによる解放後に閉じた状態のままにするように構成される。一実施形態では、フィルタ要素は、血流の作用に基づいて保持された血塊によってかけられた力によって反対方向にバランスされた付勢レベルで開状態に付勢されている。
【０００８】
一実施形態では、複数のフィルタ要素は、フィルタ要素の端部間の頂部において収束するようになっており、閉じた状態では、ホルダは、血栓を捕捉するための近位コーンを複数のフィルタ要素の近位端部と共に形成する頂部で相互連結された複数のフィルタ要素を保持し、複数のフィルタ要素は、変換時に血塊が存在する場合には変換後に近位コーン形状を保持するようになっている。
【０００９】
一実施形態では、フィルタ要素は、開状態の方に付勢され、開状態に移動することを試みるときに保持された血塊に抗して押圧され、それによって血塊の分解を援助する。一実施形態では、少なくとも一つのフィルタ要素は、改善された血塊保持のために閉じた状態のときに近位端部において半径方向内方に導かれるように形状づけられる。
【００１０】
一実施形態では、少なくともいくつかのフィルタ要素は、ループされ、互いに相互係合する。一実施形態では、少なくとも一つのフィルタ要素は、ループ内にフィルタアームを含む。一実施形態では、少なくとも一つのフィルタ要素は、開状態になるときに、内皮細胞増殖を促進するために近位端部において外方に広がる。一実施形態では、少なくとも一つのフィルタ要素は、開状態に付勢されるために、支持部材に片持ち梁のように連結される。一実施形態では、前記要素は、遠位方向に延びる支持フープによって支持部の近位端部に連結され、前記要素は、支持フープ内にある。
【００１１】
一実施形態では、少なくとも一つのフィルタ要素は、アームの形状である。一実施形態では、アームは曲がっている。
【００１２】
一実施形態では、少なくとも二つのアームは、適所にホルダを有するねじれられた形状であり、血塊を分解するのを助けるために変換時に解放するように形状づけられる。一実施形態では、少なくとも一つのフィルタ要素は、その近位端部がＹ形状部分で形状づけられる。一実施形態では、少なくとも一つのフィルタ要素は、その近位端部がフォーク形状部分で形状づけられる。
【００１３】
一実施形態では、フィルタは、近位領域及び遠位領域を備え、ホルダは、変換時に近位領域を解放し、変換後に血塊を保持するために遠位領域を残すようになっている。一実施形態では、遠位領域は、コーン形状であり、近位方向に面する頂部を有する。一実施形態では、ホルダは、時間後に遠位領域を解放するようになっており、フィルタ要素は、半径方向外方に付勢されて解放時に血管壁に血塊を押しつける。
【００１４】
一実施形態では、近位領域は、遠位領域よりも粗い。一実施形態では、前記二つの領域は、同じ方向に面する二つのコーンによって形成され、それらの頂部は遠位方向に面する。一実施形態では、少なくともいくつかのフィルタ要素は、変換後に血塊保持クラスプを形成するようになっている。
【００１５】
一実施形態では、フィルタ要素は、Ｌ字状セグメントを備え、Ｌ字状セグメントは、変換後に血塊を保持するように形状づけられる。
【００１６】
一実施形態では、Ｌ字状セグメントは、遠位方向に延びる第１の長さと、第１の長さに対して鋭角で近位方向に延びる第２の長さとを備える。
【００１７】
一実施形態では、少なくとも一つのフィルタ要素は、四角形の又は曲がったループの形状のフィルタセルを含む。一実施形態では、要素は、変換後の血塊保持コーンを形成するように形状づけられた第１の長さから延びる複数の近位方向に延びる長さを含む。
【００１８】
一実施形態では、少なくともいくつかのフィルタ要素は、各々、遠位方向に延びる第１セグメントと、近位方向に延びる第２セグメントに対する曲がりを備え、少なくとも二つの要素の第２セグメントは、閉じた状態で環状捕捉領域を提供するためにホルダによって接合される。一実施形態では、曲がりは、変換後に血塊を保持するのに十分に堅い。
【００１９】
一実施形態では、フィルタは、拡張構造を備え、一方方向に拡張するようになっており、フィルタ要素、支持部又は血管壁に抗して血塊を押しつけるために、変換後に半径方向のコンポーネントを有する。一実施形態では、拡張構造は、半径方向に拡張可能な格子の形態である。一実施形態では、拡張構造は、コーン形状の事前変換である。一実施形態では、拡張構造は、ジグザグループの形態である。
【００２０】
一実施形態では、デバイスは、さらに、フィルタの上流側にある血塊への衝突のための事前フィルタを備える。一実施形態では、事前フィルタは、支持部を横切って延びる少なくとも一つの部材の形態である。一実施形態では、事前フィルタは、血塊を切断するように形状づけられる。
【００２１】
一実施形態では、少なくとも一つのフィルタ要素は、開状態に半径方向外方に付勢された格子の形態である。一実施形態では、少なくともいくつかのフィルタ要素は、血塊溶解を援助するために段階状形状を有する。
【００２２】
一実施形態では、少なくともいくつかのフィルタ要素は、血塊保持突起を有する。一実施形態では、少なくともいくつかの突起は、とげ形状である。
【００２３】
一実施形態では、少なくともいくつかのフィルタ要素は、機械的エネルギを蓄えるために巻かれ、巻かれた状態でホルダによって保持され、変換時に捕捉された血塊を分解するために捕捉された血塊に衝撃を与える動作で蓄えられたエネルギを解放するために解かれるように配置される。一実施形態では、少なくともいくつかのフィルタ要素は、挿入されたデバイスがフィルタ要素を把持し、捕捉された血塊を切断する動作でフィルタ要素を内方に引っ張るのを許容する特徴を含む。
【００２４】
一実施形態では、少なくとも一つのフィルタ要素は、フィルタ要素が開位置にあるときに血管壁の周囲に適合する弧状の外形で形状づけられている。
【００２５】
一実施形態では、フィルタ要素は、血管壁に対して高めた適合のために可撓性である。
【００２６】
一実施形態では、少なくとも一つのフィルタ要素は、ホルダによって支持部に連結され、内皮拡張で確かな変換があるように４０度以下の鋭角で延びる。
【００２７】
一実施形態では、少なくとも一つのフィルタ要素は、閉じた状態で圧縮され、開状態で長い実質的に縦方向に直線形状に逆戻りする縦方向の曲部を有する。
【００２８】
一実施形態では、フィルタは、変換後の期間に対する血塊保持に加えてろ過を提供するようになっている。
【００２９】
一実施形態では、デバイスは、複数のフィルタを備え、フィルタの少なくとも一つは、より近位的なフィルタの変換後の中間段階中に血栓を捕捉するようになっている。
【００３０】
本発明の他の態様によれば、一つ以上の捕捉部材を備える血管フィルタが提供され、一つ以上の捕捉部材は、血管を通過する血栓を捕捉するように構成され、一つ以上の捕捉部材は、血栓がその内部で捕捉される第１の捕捉領域を画定する。血栓を捕捉することによって、フィルタは、肺塞栓症を生じるかもしれない、血栓が心臓又は肺に通過するのを防止する。捕捉部材を支持することによって、これは、捕捉部材が血管の中で所望の位置に維持されることを確実にする。
【００３１】
本発明の一実施形態によれば、捕捉部材は、捕捉した状態から開状態へ移動可能であり、捕捉状態では、捕捉部材は、血管を通過する血栓を捕捉するように構成されている。開状態では、捕捉部材は、制限されない血流を促進するように構成される。開状態では、捕捉部材は、血管を通過する血栓を捕捉するように構成される。好ましくは、フィルタは、第１のあらかじめ決められた時間が経過するまで捕捉部材を捕捉形態に一時的に保持する手段を備える。理想的には、捕捉部材は、捕捉状態から中間の状態まで、中間の状態から開状態まで移動可能であり、中間の状態では、捕捉部材は、血管を通過する血栓を捕捉するように形状づけられる。最も好ましくは、捕捉部材は、捕捉状態から中間状態の方に付勢される。捕捉部材は、中間状態から捕捉状態の方に付勢されることができる。
【００３２】
他の実施形態では、捕捉部材は、血栓がその内部で捕捉される第２の捕捉領域を画定する。好ましくは、第２の捕捉領域は、第１の捕捉領域から離間される。理想的には、第２の捕捉領域は、第１の捕捉領域の近位側に配置される。最も好ましくは、第２の捕捉領域は、第１の捕捉領域よりも大きな捕捉スペースを有する。
【００３３】
一ケースでは、捕捉状態で、捕捉部材は、捕捉領域を画定する。好ましくは、中間状態で、捕捉部材は、捕捉領域を画定する。
【００３４】
捕捉領域は、血管の中心の領域に配置されるように形状づけられる。捕捉領域は、血管壁の領域に配置されるように形状づけられる。
【００３５】
他のケースでは、中間状態で、捕捉領域は、捕捉状態よりも小さい捕捉スペースを有する。捕捉領域は、実質的に円錐形にすることができる。捕捉領域は、実質的に環状形にすることができる。好ましくは、捕捉状態で、捕捉部材は、頂部の方に延びる。頂部は、血管の中心を通って延びる長手方向軸と実質的に一致する。頂部は、血管の中心を通って延びる長手方向軸から実質的にオフセットされる。
【００３６】
一実施形態では、フィルタは、血栓を捕捉部材に結合する手段を備える。好ましくは、結合手段は、捕捉部材に取り付けられる。理想的には、結合部材は血栓と係合可能である。
【００３７】
捕捉部材は、血管を通る血流の方向に延びることができる。捕捉部材は、血管を通る血流とは反対の方向に延びることができる。
【００３８】
他の実施形態では、フィルタは、血栓の大きさを減少する手段を備える。血栓を減少する手段は、捕捉領域で捕捉された血栓の大きさを減少するように形状づけられる。血栓を減少する手段は、捕捉領域で捕捉される前の血栓の大きさを減少するように形状づけられる。好ましくは、血栓を減少する手段は、血栓の大きさを減少するために血栓と係合可能である。理想的には、血栓を減少する手段は、血栓の大きさを減少するために血栓に対して移動可能である。血栓を減少する手段は、第１の予め決められた時間の経過する前に血栓に対して移動可能である。血栓を減少する手段は、第１の予め決められた時間の経過後に血栓に対して移動可能である。血栓を減少する手段は、第２の予め決められた時間の経過後に血栓に対して移動可能である。最も好ましくは、フィルタは、血栓を減少する手段を、血栓に対して血栓を減少する手段を移動するためのデバイスに結合する手段を備える。
【００３９】
一ケースでは、捕捉部材は、血栓を減少する手段を備える。好ましくは、捕捉部材の少なくとも部分は曲げられる。理想的には、血栓を減少する手段は、一つ以上の突起を備える。最も好ましくは、捕捉部材は、捕捉状態から開状態への移動時に血栓の大きさを減少するように形状づけられる。
【００４０】
他のケースでは、血栓を減少する手段は、捕捉部材から離間される。好ましくは、血栓を減少する手段は、捕捉部材の近位側に配置される。
【００４１】
一実施形態では、フィルタは、血管に積極的な動因を配送する手段を備える。好ましくは、配送する手段は、第３のあらかじめ決められた時間の経過後に積極的な動因を配送するように形状づけられる。
【００４２】
一ケースでは、本発明は、血管の中央で血塊を捕捉し、血塊を血管壁に移動させる。一ケースでは、本発明は、血管の中央で血塊を捕捉し、変換前又は後に、血塊を小さな破片に切断する。一ケースでは、本発明は、血塊がフィルタの血塊受け入れスペースに到達する前に血塊を切断する。一ケースでは、本発明は、変換前に血塊を手動的に切断する介在を含む。一ケースでは、本発明は、捕捉アームの面外移動を含む。一ケースでは、本発明は、適時に様々なポイントで個々のコンポーネントの生物分解を含む。一ケースでは、本発明は、血塊を血管壁に抗して保持する。一ケースでは、本発明は、予め決められた時間で薬剤を解放する。
【００４３】
一ケースでは、本発明は、逆向きの捕捉アームを含む。一ケースでは、本発明は、血塊を血塊の内側から保持する特徴を含む。一ケースでは、本発明は、血塊を外側から保持する、織物／格子／膜を含む。一ケースでは、本発明は、捕捉アームの半径方向の力を増加する。
【００４４】
この明細書では、用語“フィルタ要素”、“捕捉部材”及び“捕捉アーム”は、フィルタの一部を意味するために交換可能に使用される。
【００４５】
本発明は、添付の図面を参考にして例示的にのみ付与された以下の幾つかの実施形態の説明によって明確に理解できるであろう。
【図面の簡単な説明】
【００４６】
【図１】図１は、相互頂部で交差する二つのコーン、血塊を捕捉すると共に血塊が溶解される変換後に大きさを縮小する近位コーンがある、フィルタデバイスの動作を示す一連の図である。
【図２】図２は、相互頂部で交差する二つのコーン、血塊を捕捉すると共に血塊が溶解される変換後に大きさを縮小する近位コーンがある、フィルタデバイスの動作を示す一連の図である。
【図３】図３は、相互頂部で交差する二つのコーン、血塊を捕捉すると共に血塊が溶解される変換後に大きさを縮小する近位コーンがある、フィルタデバイスの動作を示す一連の図である。
【図４】図４は、相互頂部で交差する二つのコーン、血塊を捕捉すると共に血塊が溶解される変換後に大きさを縮小する近位コーンがある、フィルタデバイスの動作を示す一連の図である。
【図５】図５は、ダブルコーンを提供する配置で互いに通過するループ形状のフィルタ要素を有するフィルタデバイスを示す図であり、図５は、開いたときのデバイスを示す。
【図６】図６は、ダブルコーンを提供する配置で互いに通過するループ形状のフィルタ要素を有するフィルタデバイスを示す図であり、図６は、開いたときのデバイスを示す。
【図７】図７は、ダブルコーンを提供する配置で互いに通過するループ形状のフィルタ要素を有するフィルタデバイスを示す図であり、図７は、開いたときのデバイスを示す。
【図８】図８は、ダブルコーンを提供する配置で互いに通過するループ形状のフィルタ要素を有するフィルタデバイスを示す図であり、図８は、どのようにデバイスが組み立てられたかを示す。
【図９】図９は、ダブルコーンを提供する配置で互いに通過するループ形状のフィルタ要素を有するフィルタデバイスを示す図であり、図９は、どのようにデバイスが組み立てられたかを示す。
【図１０】図１０は、ダブルコーンを提供する配置で互いに通過するループ形状のフィルタ要素を有するフィルタデバイスを示す図であり、図１０は、どのようにデバイスが組み立てられたかを示す。
【図１１】図１１は、ダブルコーンを提供する配置で互いに通過するループ形状のフィルタ要素を有するフィルタデバイスを示す図であり、図１１は、どのようにデバイスが組み立てられたかを示す。
【図１２】図１２は、ダブルコーンを提供する配置で互いに通過するループ形状のフィルタ要素を有するフィルタデバイスを示す図であり、図１２は、どのようにデバイスが組み立てられたかを示す。
【図１３】図１３は、ダブルコーンを提供する配置で互いに通過するループ形状のフィルタ要素を有するフィルタデバイスを示す図であり、図１３は、どのようにデバイスが組み立てられたかを示す。
【図１４】図１４は、ダブルコーンを提供する配置で互いに通過するループ形状のフィルタ要素を有するフィルタデバイスを示す図であり、図１４は、どのようにデバイスが組み立てられたかを示す。
【図１５】図１５は、ダブルコーンを提供する配置で互いに通過するループ形状のフィルタ要素を有するフィルタデバイスを示す図であり、図１５は、塞栓を捕捉するために閉じたときのデバイスを示す。
【図１６】図１６は、ダブルコーンを提供する配置で互いに通過するループ形状のフィルタ要素を有するフィルタデバイスを示す図であり、図１６は、塞栓を捕捉するために閉じたときのデバイスを示す。
【図１７】図１７は、ダブルコーンを提供する配置で互いに通過するループ形状のフィルタ要素を有するフィルタデバイスを示す図であり、図１７は、塞栓を捕捉するために閉じたときのデバイスを示す。
【図１８】図１８は、ダブルコーンを提供する配置で互いに通過するループ形状のフィルタ要素を有するフィルタデバイスを示す図であり、図１８は、塞栓を捕捉するために閉じたときのデバイスを示す。
【図１９】図１９は、ダブルコーンを提供する配置で互いに通過するループ形状のフィルタ要素を有するフィルタデバイスを示す図であり、図１９は、特にデバイスの詳細を示す平面図である。
【図２０】図２０は、ダブルコーンを提供する配置で互いに通過するループ形状のフィルタ要素を有するフィルタデバイスを示す図であり、図２０は、特にデバイスの詳細を示す平面図である。
【図２１】図２１は、ダブルコーンを提供する配置で互いに通過するループ形状のフィルタ要素を有するフィルタデバイスを示す図であり、図２１は、特にデバイスの詳細を示す平面図である。
【図２２】図２２は、ダブルコーンを提供する配置で互いに通過するループ形状のフィルタ要素を有するフィルタデバイスを示す図であり、図２２は、特にデバイスの詳細を示す平面図である。
【図２３】図２３は、ダブルコーンを提供する配置で互いに通過するループ形状のフィルタ要素を有するフィルタデバイスを示す図であり、図２３は、特にデバイスの詳細を示す平面図である。
【図２４】図２４は、ダブルコーンを提供する配置で互いに通過するループ形状のフィルタ要素を有するフィルタデバイスを示す図であり、図２４は、特にデバイスの詳細を示す平面図である。
【図２５】図２５は、ダブルコーンを提供する配置で互いに通過するループ形状のフィルタ要素を有するフィルタデバイスを示す図であり、図２５は、特にデバイスの詳細を示す平面図である。
【図２６】図２６は、ループフィルタ要素、この場合では、改善されたろ過効果及びループの相互連結のためのストラットを有するフィルタデバイスを示し、図２６は、塞栓を捕捉するために閉じたときのデバイスを示す。
【図２７】図２７は、ループフィルタ要素、この場合では、改善されたろ過効果及びループの相互連結のためのストラットを有するフィルタデバイスを示し、図２７は、塞栓を捕捉するために閉じたときのデバイスを示す。
【図２８】図２８は、ループフィルタ要素、この場合では、改善されたろ過効果及びループの相互連結のためのストラットを有するフィルタデバイスを示し、図２８は、塞栓を捕捉するために閉じたときのデバイスを示す。
【図２９】図２９は、ループフィルタ要素、この場合では、改善されたろ過効果及びループの相互連結のためのストラットを有するフィルタデバイスを示し、図２９は、塞栓を捕捉するために閉じたときのデバイスを示す。
【図３０】図３０は、ループフィルタ要素、この場合では、改善されたろ過効果及びループの相互連結のためのストラットを有するフィルタデバイスを示し、図３０は、塞栓を捕捉するために閉じたときのデバイスを示す。
【図３１】図３１は、ループフィルタ要素、この場合では、改善されたろ過効果及びループの相互連結のためのストラットを有するフィルタデバイスを示し、図３１は、開いたときのデバイスを示す。
【図３２】図３２は、ループフィルタ要素、この場合では、改善されたろ過効果及びループの相互連結のためのストラットを有するフィルタデバイスを示し、図３２は、開いたときのデバイスを示す。
【図３３】図３３は、ループフィルタ要素、この場合では、改善されたろ過効果及びループの相互連結のためのストラットを有するフィルタデバイスを示し、図３３は、開いたときのデバイスを示す。
【図３４】図３４は、ループフィルタ要素、この場合では、改善されたろ過効果及びループの相互連結のためのストラットを有するフィルタデバイスを示し、図３４は、開いたときのデバイスを示す。
【図３５】図３５は、４つのループフィルタ要素、この場合では、遠位支持フープだけを有するフィルタデバイスを示す図である。
【図３６】図３６は、４つのループフィルタ要素、この場合では、遠位支持フープだけを有するフィルタデバイスを示す図である。
【図３７】図３７は、４つのループフィルタ要素、この場合では、遠位支持フープだけを有するフィルタデバイスを示す図である。
【図３８】図３８は、それらの間に延びる縦方向の支持部材を必要としないで直接的に相互連結された二つのフープを有するフィルタデバイスを示す図である。
【図３９】図３９は、それらの間に延びる縦方向の支持部材を必要としないで直接的に相互連結された二つのフープを有するフィルタデバイスを示す図である。
【図４０】図４０は、それらの間に延びる縦方向の支持部材を必要としないで直接的に相互連結された二つのフープを有するフィルタデバイスを示す図である。
【図４１】図４１は、３つのループフィルタ要素及び３つの直線状フィルタ要素を有するフィルタデバイスを示す。
【図４２】図４２は、３つのループフィルタ要素及び３つの直線状フィルタ要素を有するフィルタデバイスを示す。
【図４３】図４３は、３つのループフィルタ要素及び３つの直線状フィルタ要素を有するフィルタデバイスを示す。
【図４４】図４４は、３つのループフィルタ要素及び３つの直線状フィルタ要素を有するフィルタデバイスを示す。
【図４５】図４５は、３つのループフィルタ要素及び３つの直線状フィルタ要素を有するフィルタデバイスを示す。
【図４６】図４６は、３つのループフィルタ要素及び３つの直線状フィルタ要素を有するフィルタデバイスを示す。
【図４７】図４７は、３つのループフィルタ要素及び３つの直線状フィルタ要素を有するフィルタデバイスを示す。
【図４８】図４８は、３つのループフィルタ要素及び３つの直線状フィルタ要素を有するフィルタデバイスを示す。
【図４９】図４９は、３つのループフィルタ要素及び３つの直線状フィルタ要素を有するフィルタデバイスを示す。
【図５０】図５０は、３つのループフィルタ要素及び３つの直線状フィルタ要素を有するフィルタデバイスを示す。
【図５１】図５１は、３つのループフィルタ要素及び３つの直線状フィルタ要素を有するフィルタデバイスを示し、図５１は、血塊保持を示す。
【図５２】図５２は、３つのループフィルタ要素及び３つの直線状フィルタ要素を有するフィルタデバイスを示し、図５２は、血塊保持を示す。
【図５３】図５３は、３つのループフィルタ要素及び３つの直線状フィルタ要素を有するフィルタデバイスを示し、図５３は、血塊保持を示す。
【図５４】図５４は、３つのループフィルタ要素及び３つの直線状フィルタ要素を有するフィルタデバイスを示し、図５４は、血塊保持を示す。
【図５５】図５５は、３つのループフィルタ要素を有するフィルタデバイスを示し、この場合では他のフィルタ要素は高められた捕捉効果のためにループを含む。
【図５６】図５６は、３つのループフィルタ要素を有するフィルタデバイスを示し、この場合では他のフィルタ要素は高められた捕捉効果のためにループを含む。
【図５７】図５７は、３つのループフィルタ要素を有するフィルタデバイスを示し、この場合では他のフィルタ要素は高められた捕捉効果のためにループを含む。
【図５８】図５８は、３つのループフィルタ要素を有するフィルタデバイスを示し、この場合では他のフィルタ要素は高められた捕捉効果のためにループを含む。
【図５９】図５９は、３つのループフィルタ要素を有するフィルタデバイスを示し、この場合では他のフィルタ要素は高められた捕捉効果のためにループを含む。
【図６０】図６０は、３つのループフィルタ要素を有するフィルタデバイスを示し、この場合では他のフィルタ要素は高められた捕捉効果のためにループを含む。
【図６１】図６１は、３つのループフィルタ要素を有するフィルタデバイスを示し、この場合では他のフィルタ要素は高められた捕捉効果のためにループを含む。
【図６２】図６２は、３つのループフィルタ要素を有するフィルタデバイスを示し、この場合では他のフィルタ要素は高められた捕捉効果のためにループを含む。
【図６３】図６３は、フィルタ要素が直線状であるバリエーションを示す。
【図６４】図６４は、フィルタ要素が直線状であるバリエーションを示す。
【図６５】図６５は、フィルタ要素が直線状であるバリエーションを示す。
【図６６】図６６は、フィルタ要素が直線状であるバリエーションを示す。
【図６７】図６７は、フィルタ要素が直線状であるバリエーションを示す。
【図６８】図６８は、フィルタ要素が直線状であるバリエーションを示す。
【図６９】図６９は、フィルタ要素が直線状であるバリエーションを示す。
【図７０】図７０は、フィルタ要素が直線状であるバリエーションを示す。
【図７１】図７１は、フィルタ要素の端部がその近位端部で半径方向に曲がっているバリエーションを示す。
【図７２】図７１は、フィルタ要素の端部がその近位端部で半径方向に曲がっているバリエーションを示す。
【図７３】図７３は、フィルタ要素の端部がその近位端部で半径方向に曲がっているバリエーションを示す。
【図７４】図７４は、フィルタ要素の端部がその近位端部で半径方向に曲がっているバリエーションを示す。
【図７５】図７５は、フィルタ要素の端部がその近位端部で半径方向に曲がっているバリエーションを示す。
【図７６】図７６は、フィルタ要素の端部がその近位端部で半径方向に曲がっているバリエーションを示す。
【図７７】図７７は、フィルタ要素の端部がその近位端部で半径方向に曲がっているバリエーションを示す。
【図７８】図７８は、フィルタ要素の端部がその近位端部で半径方向に曲がっているバリエーションを示す。
【図７９】図７９は、フィルタ要素の自由端部が閉じた状態で内方に曲がり、開いた状態で外方に曲がるように形状づけられているバリエーションを示す。
【図８０】図８０は、フィルタ要素の自由端部が閉じた状態で内方に曲がり、開いた状態で外方に曲がるように形状づけられているバリエーションを示す。
【図８１】図８１は、フィルタ要素の自由端部が閉じた状態で内方に曲がり、開いた状態で外方に曲がるように形状づけられているバリエーションを示す。
【図８２】図８２は、フィルタ要素の自由端部が閉じた状態で内方に曲がり、開いた状態で外方に曲がるように形状づけられているバリエーションを示す。
【図８３】図８３は、ねじれた両端部をもつ直線状フィルタ要素を有するデバイスを示す。
【図８４】図８４は、ねじれた両端部をもつ直線状フィルタ要素を有するデバイスを示す。
【図８５】図８５は、ねじれた両端部をもつ直線状フィルタ要素を有するデバイスを示す。
【図８６】図８６は、ねじれた両端部をもつ直線状フィルタ要素を有するデバイスを示す。
【図８７】図８７は、ねじれた両端部をもつ直線状フィルタ要素を有するデバイスを示す。
【図８８】図８８は、ねじれた両端部をもつ直線状フィルタ要素を有するデバイスを示す。
【図８９】図８９は、ねじれた両端部をもつ直線状フィルタ要素を有するデバイスを示す。
【図９０】図９０は、ねじれた両端部をもつ直線状フィルタ要素を有するデバイスを示す。
【図９１】図９１は、Ｙ形状フィルタ要素を有するデバイスを示す。
【図９２】図９２は、Ｙ形状フィルタ要素を有するデバイスを示す。
【図９３】図９３は、Ｙ形状フィルタ要素を有するデバイスを示す。
【図９４】図９４は、Ｙ形状フィルタ要素を有するデバイスを示す。
【図９５】図９５は、Ｙ形状フィルタ要素を有するデバイスを示す。
【図９６】図９６は、Ｙ形状フィルタ要素を有するデバイスを示す。
【図９７】図９７は、Ｙ形状フィルタ要素を有するデバイスを示す。
【図９８】図９８は、Ｙ形状フィルタ要素を有するデバイスを示す。
【図９９】図９９は、フォーク状フィルタ要素を有するデバイスを示す。
【図１００】図１００は、フォーク状フィルタ要素を有するデバイスを示す。
【図１０１】図１０１は、フォーク状フィルタ要素を有するデバイスを示す。
【図１０２】図１０２は、フォーク状フィルタ要素を有するデバイスを示す。
【図１０３】図１０３は、代替的なそのような実施形態を示す。
【図１０４】図１０４は、代替的なそのような実施形態を示す。
【図１０５】図１０５は、代替的なそのような実施形態を示す。
【図１０６】図１０６は、代替的なそのような実施形態を示す。
【図１０７】図１０７は、直線状及びフォーク状部材をもつフィルタ要素を有するデバイスを示す。
【図１０８】図１０８は、直線状及びフォーク状部材をもつフィルタ要素を有するデバイスを示す。
【図１０９】図１０９は、直線状及びフォーク状部材をもつフィルタ要素を有するデバイスを示す。
【図１１０】図１１０は、直線状及びフォーク状部材をもつフィルタ要素を有するデバイスを示す。
【図１１１】図１１１は、直線状及びフォーク状部材をもつフィルタ要素を有するデバイスを示す。
【図１１２】図１１２は、直線状及びフォーク状部材をもつフィルタ要素を有するデバイスを示す。
【図１１３】図１１３は、直線状及びフォーク状部材をもつフィルタ要素を有するデバイスを示す。
【図１１４】図１１４は、直線状及びフォーク状部材をもつフィルタ要素を有するデバイスを示す。
【図１１５】図１１５は、血塊を保持するために遠位コーンを残す変換で、両方向に面する二つのフィルタコーンを有するデバイスを示す。
【図１１６】図１１６は、血塊を保持するために遠位コーンを残す変換で、両方向に面する二つのフィルタコーンを有するデバイスを示す。
【図１１７】図１１７は、血塊を保持するために遠位コーンを残す変換で、両方向に面する二つのフィルタコーンを有するデバイスを示す。
【図１１８】図１１８は、血塊を保持するために遠位コーンを残す変換で、両方向に面する二つのフィルタコーンを有するデバイスを示す。
【図１１９】図１１９は、血塊を保持するために遠位コーンを残す変換で、両方向に面する二つのフィルタコーンを有するデバイスを示す。
【図１２０】図１２０は、近位のコーンが遠位のコーンよりも荒い、二つのコーンを有するデバイスを示す。
【図１２１】図１２１は、近位のコーンが遠位のコーンよりも荒い、二つのコーンを有するデバイスを示す。
【図１２２】図１２２は、近位のコーンが遠位のコーンよりも荒い、二つのコーンを有するデバイスを示す。
【図１２３】図１２３は、近位のコーンが遠位のコーンよりも荒い、二つのコーンを有するデバイスを示す。
【図１２４】図１２４は、近位のコーンが遠位のコーンよりも荒い、二つのコーンを有するデバイスを示す。
【図１２５】図１２５は、二つのコーンが同じ方向を向き、遠位コーンが血塊保持後変換のためにある実施形態を示す。
【図１２６】図１２６は、二つのコーンが同じ方向を向き、遠位コーンが血塊保持後変換のためにある実施形態を示す。
【図１２７】図１２７は、二つのコーンが同じ方向を向き、遠位コーンが血塊保持後変換のためにある実施形態を示す。
【図１２８】図１２８は、二つのコーンが同じ方向を向き、遠位コーンが血塊保持後変換のためにある実施形態を示す。
【図１２９】図１２９は、二つのコーンが同じ方向を向き、遠位コーンが血塊保持後変換のためにある実施形態を示す。
【図１３０】図１３０は、二つのコーンが同じ方向を向き、遠位コーンが血塊保持後変換のためにある実施形態を示す。
【図１３１】図１３１は、二つのコーンが同じ方向を向き、遠位コーンが血塊保持後変換のためにある実施形態を示す。
【図１３２】図１３２は、二つのコーンが同じ方向を向き、遠位コーンが血塊保持後変換のためにある実施形態を示す。
【図１３３】図１３３は、二つのコーンが同じ方向を向き、遠位コーンが血塊保持後変換のためにある実施形態を示す。
【図１３４】図１３４は、二つのコーンが同じ方向を向き、遠位コーンが血塊保持後変換のためにある実施形態を示す。
【図１３５】図１３５は、二つのコーンが同じ方向を向き、遠位コーンが血塊保持後変換のためにある実施形態を示す。
【図１３６】図１３６は、二つのコーンが同じ方向を向き、遠位コーンが血塊保持後変換のためにある実施形態を示す。
【図１３７】図１３７は、二つのコーンが同じ方向を向き、遠位コーンが血塊保持後変換のためにある実施形態を示す。
【図１３８】図１３８は、二つのコーンが同じ方向を向き、遠位コーンが血塊保持後変換のためにある実施形態を示す。
【図１３９】図１３９は、血塊保持クラスプ構成をもつデバイスを示す。
【図１４０】図１４０は、血塊保持クラスプ構成をもつデバイスを示す。
【図１４１】図１４１は、血塊保持クラスプ構成をもつデバイスを示す。
【図１４２】図１４２は、血塊保持クラスプ構成をもつデバイスを示す。
【図１４３】図１４３は、ループフィルタ要素をもつクラスプ構成を示す。
【図１４４】図１４４は、ループフィルタ要素をもつクラスプ構成を示す。
【図１４５】図１４５は、ループフィルタ要素をもつクラスプ構成を示す。
【図１４６】図１４６は、ループフィルタ要素をもつクラスプ構成を示す。
【図１４７】図１４７は、ループフィルタ要素をもつクラスプ構成を示す。
【図１４８】図１４８は、ループフィルタ要素をもつクラスプ構成を示す。
【図１４９】図１４９は、ループフィルタ要素をもつクラスプ構成を示す。
【図１５０】図１５０は、ループフィルタ要素をもつクラスプ構成を示す。
【図１５１】図１５１は、クラスプフィルタデバイスの様々なフィルタ要素を示す。
【図１５２】図１５２は、クラスプフィルタデバイスの様々なフィルタ要素を示す。
【図１５３】図１５３は、クラスプフィルタデバイスの様々なフィルタ要素を示す。
【図１５４】図１５４は、クラスプフィルタデバイスの様々なフィルタ要素を示す。
【図１５５】図１５５は、クラスプフィルタデバイスの様々なフィルタ要素を示す。
【図１５６】図１５６は、クラスプフィルタデバイスの様々なフィルタ要素を示す。
【図１５７】図１５７（ａ）は、クラスプフィルタデバイスの様々なフィルタ要素を示し、図１５７（ｂ）乃至（ｊ）は、図１５７（ａ）のフィルタ要素を含むデバイスを示す。
【図１５８】図１５８は、近位らせん支持コイルがろ過スクリーンをもつ中央ヒンジループに延びたフィルタデバイスを示す。
【図１５９】図１５９は、近位らせん支持コイルがろ過スクリーンをもつ中央ヒンジループに延びたフィルタデバイスを示す。
【図１６０】図１６０は、近位らせん支持コイルがろ過スクリーンをもつ中央ヒンジループに延びたフィルタデバイスを示す。
【図１６１】図１６１は、近位らせん支持コイルがろ過スクリーンをもつ中央ヒンジループに延びたフィルタデバイスを示す。
【図１６２】図１６２は、円錐形受け入れスペース及び変換後に血管壁にある最小コーンを有するフィルタデバイスを示す。
【図１６３】図１６３は、円錐形受け入れスペース及び変換後に血管壁にある最小コーンを有するフィルタデバイスを示す。
【図１６４】図１６４は、円錐形受け入れスペース及び変換後に血管壁にある最小コーンを有するフィルタデバイスを示す。
【図１６５】図１６５は、円錐形受け入れスペース及び変換後に血管壁にある最小コーンを有するフィルタデバイスを示す。
【図１６６】図１６６は、円錐形受け入れスペース及び変換後に血管壁にある最小コーンを有するフィルタデバイスを示す。
【図１６７】図１６７は、円錐形受け入れスペース及び変換後に血管壁にある最小コーンを有するフィルタデバイスを示す。
【図１６８】図１６８は、ステントのような支持部及びＭ字状のフィルタを有するデバイスを示す。
【図１６９】図１６９は、ステントのような支持部及びＭ字状のフィルタを有するデバイスを示す。
【図１７０】図１７０は、ステントのような支持部及びＭ字状のフィルタを有するデバイスを示す。
【図１７１】図１７１は、ステントのような支持部及びＭ字状のフィルタを有するデバイスを示す。
【図１７２】図１７２は、ステントのような支持部及びＭ字状のフィルタを有するデバイスを示す。
【図１７３】図１７３は、Ｍ字状のフィルタを有する代替的なデバイスを示す。
【図１７４】図１７４は、Ｍ字状のフィルタを有する代替的なデバイスを示す。
【図１７５】図１７５は、Ｍ字状のフィルタを有する代替的なデバイスを示す。
【図１７６】図１７６は、Ｍ字状のフィルタを有する代替的なデバイスを示す。
【図１７７】図１７７は、Ｍ字状のフィルタを有する代替的なデバイスを示す。
【図１７８】図１７８は、近位支持格子及び中央ろ過格子を有するフィルタデバイスを示す。
【図１７９】図１７９は、近位支持格子及び中央ろ過格子を有するフィルタデバイスを示す。
【図１８０】図１８０は、近位支持格子及び中央ろ過格子を有するフィルタデバイスを示す。
【図１８１】図１８１は、近位支持格子及び中央ろ過格子を有するフィルタデバイスを示す。
【図１８２】図１８２は、近位支持格子及び中央ろ過格子を有するフィルタデバイスを示す。
【図１８３】図１８３は、フィルタが連結される近位格子リング状支持部を有するフィルタデバイスを示す。
【図１８４】図１８４は、フィルタが連結される近位格子リング状支持部を有するフィルタデバイスを示す。
【図１８５】図１８５は、フィルタが連結される近位格子リング状支持部を有するフィルタデバイスを示す。
【図１８６】図１８６は、フィルタが連結される近位格子リング状支持部を有するフィルタデバイスを示す。
【図１８７】図１８７は、フィルタが連結される近位格子リング状支持部を有するフィルタデバイスを示す。
【図１８８】図１８８は、Ｍ字状のフィルタ及びＭ字状のフィルタの上流側にある対角線フィルタ要素を有するフィルタデバイスを示す。
【図１８９】図１８９は、Ｍ字状のフィルタ及びＭ字状のフィルタの上流側にある対角線フィルタ要素を有するフィルタデバイスを示す。
【図１９０】図１９０は、Ｍ字状のフィルタ及びＭ字状のフィルタの上流側にある対角線フィルタ要素を有するフィルタデバイスを示す。
【図１９１】図１９１は、Ｍ字状のフィルタ及びＭ字状のフィルタの上流側にある対角線フィルタ要素を有するフィルタデバイスを示す。
【図１９２】図１９２は、Ｍ字状のフィルタを有するさらなるフィルタデバイスの詳細を示し、図１９２は、平面図である。
【図１９３】図１９３は、Ｍ字状のフィルタを有するさらなるフィルタデバイスの詳細を示し、図１９３は、平面図である。
【図１９４】図１９４は、Ｍ字状のフィルタを有するさらなるフィルタデバイスの詳細を示し、図１９４は、平面図である。
【図１９５】図１９５は、Ｍ字状のフィルタを有するさらなるフィルタデバイスの詳細を示し、図１９５は、平面図である。
【図１９６】図１９６は、Ｍ字状のフィルタを有するさらなるフィルタデバイスの詳細を示し、図１９６は、平面図である。
【図１９７】図１９７は、Ｍ字状のフィルタを有するさらなるフィルタデバイスの詳細を示し、図１９７は、平面図である。
【図１９８】図１９８は、Ｍ字状のフィルタを有するさらなるフィルタデバイスの詳細を示す。
【図１９９】図１９９は、Ｍ字状のフィルタを有するさらなるフィルタデバイスの詳細を示す。
【図２００】図２００は、Ｍ字状のフィルタを有するさらなるフィルタデバイスの詳細を示す。
【図２０１】図２０１は、Ｍ字状のフィルタを有するさらなるフィルタデバイスの詳細を示す。
【図２０２】図２０２は、Ｍ字状のフィルタを有するさらなるフィルタデバイスの詳細を示す。
【図２０３】図２０３は、Ｍ字状のフィルタを有するさらなるフィルタデバイスの詳細を示す。
【図２０４】図２０４は、Ｍ字状のフィルタを有するさらなるフィルタデバイスの詳細を示す。
【図２０５】図２０５は、Ｍ字状のフィルタを有するさらなるフィルタデバイスの詳細を示す。
【図２０６】図２０６は、様々な構成のＭ字状のフィルタ要素を有するデバイスを示し、図２０６は、平面図である。
【図２０７】図２０７は、様々な構成のＭ字状のフィルタ要素を有するデバイスを示し、図２０７は、平面図である。
【図２０８】図２０８は、様々な構成のＭ字状のフィルタ要素を有するデバイスを示し、図２０８は、平面図である。
【図２０９】図２０９は、様々な構成のＭ字状のフィルタ要素を有するデバイスを示し、図２０９は、平面図である。
【図２１０】図２１０は、様々な構成のＭ字状のフィルタ要素を有するデバイスを示し、図２１０は、平面図である。
【図２１１】図２１１は、様々な構成のＭ字状のフィルタ要素を有するデバイスを示す。
【図２１２】図２１２は、様々な構成のＭ字状のフィルタ要素を有するデバイスを示す。
【図２１３】図２１３は、様々な構成のＭ字状のフィルタ要素を有するデバイスを示す。
【図２１４】図２１４は、様々な構成のＭ字状のフィルタ要素を有するデバイスを示す。
【図２１５】図２１５は、近位端部に面する頂部をもつコーン形状のフィルタを有するデバイスを示す。
【図２１６】図２１６は、近位端部に面する頂部をもつコーン形状のフィルタを有するデバイスを示す。
【図２１７】図２１７は、近位端部に面する頂部をもつコーン形状のフィルタを有するデバイスを示す。
【図２１８】図２１８は、近位端部に面する頂部をもつコーン形状のフィルタを有するデバイスを示す。
【図２１９】図２１９は、変換後の血塊溶解のための拡張近位格子を有するデバイスを示す。
【図２２０】図２２０は、変換後の血塊溶解のための拡張近位格子を有するデバイスを示す。
【図２２１】図２２１は、変換後の血塊溶解のための拡張近位格子を有するデバイスを示す。
【図２２２】図２２２は、変換後の血塊溶解のための拡張近位格子を有するデバイスを示す。
【図２２３】図２２３は、近位ループに延びるらせんコイル遠位支持を有するフィルタデバイスを示す。
【図２２４】図２２４は、近位ループに延びるらせんコイル遠位支持を有するフィルタデバイスを示す。
【図２２５】図２２５は、近位ループに延びるらせんコイル遠位支持を有するフィルタデバイスを示す。
【図２２６】図２２６は、近位ループに延びるらせんコイル遠位支持を有するフィルタデバイスを示す。
【図２２７】図２２７は、格子フィルタを有するデバイスを示す。
【図２２８】図２２８は、格子フィルタを有するデバイスを示す。
【図２２９】図２２９は、二段階フィルタ変換をもつデバイスを示す。
【図２３０】図２３０は、二段階フィルタ変換をもつデバイスを示す。
【図２３１】図２３１は、二段階フィルタ変換をもつデバイスを示す。
【図２３２】図２３２は、二段階フィルタ変換をもつデバイスを示す。
【図２３３】図２３３は、二段階フィルタ変換をもつデバイスを示す。
【図２３４】図２３４は、蓄積されたエネルギを解放するためにねじれていない又は巻かれていない作用に起因して変換後に血塊に作用するフィルタを有するデバイスを示す。
【図２３５】図２３５は、蓄積されたエネルギを解放するためにねじれていない又は巻かれていない作用に起因して変換後に血塊に作用するフィルタを有するデバイスを示す。
【図２３６】図２３６は、蓄積されたエネルギを解放するためにねじれていない又は巻かれていない作用に起因して変換後に血塊に作用するフィルタを有するデバイスを示す。
【図２３７】図２３７は、蓄積されたエネルギを解放するためにねじれていない又は巻かれていない作用に起因して変換後に血塊に作用するフィルタを有するデバイスを示す。
【図２３８】図２３８は、蓄積されたエネルギを解放するためにねじれていない又は巻かれていない作用に起因して変換後に血塊に作用するフィルタを有するデバイスを示す。
【図２３９】図２３９は、蓄積されたエネルギを解放するためにねじれていない又は巻かれていない作用に起因して変換後に血塊に作用するフィルタを有するデバイスを示す。
【図２４０】図２４０は、多数の直線状フィルタ要素及び多数の輪郭されたフィルタ要素をもつ円錐形フィルタを有するデバイスを示す。
【図２４１】図２４１は、多数の直線状フィルタ要素及び多数の輪郭されたフィルタ要素をもつ円錐形フィルタを有するデバイスを示す。
【図２４２】図２４２は、多数の直線状フィルタ要素及び多数の輪郭されたフィルタ要素をもつ円錐形フィルタを有するデバイスを示す。
【図２４３】図２４３は、多数の直線状フィルタ要素及び多数の輪郭されたフィルタ要素をもつ円錐形フィルタを有するデバイスを示す。
【図２４４】図２４４は、ねじれてそれらの頂部に連結された代替的な輪郭されたフィルタ要素を有するデバイスを示す。
【図２４５】図２４５は、ねじれてそれらの頂部に連結された代替的な輪郭されたフィルタ要素を有するデバイスを示す。
【図２４６】図２４６は、ねじれてそれらの頂部に連結された代替的な輪郭されたフィルタ要素を有するデバイスを示す。
【図２４７】図２４７は、血塊切断特性をもつらせん／曲がったフィルタ要素を有するフィルタデバイスを示す。
【図２４８】図２４８は、血塊切断特性をもつらせん／曲がったフィルタ要素を有するフィルタデバイスを示す。
【図２４９】図２４９は、血塊切断特性をもつらせん／曲がったフィルタ要素を有するフィルタデバイスを示す。
【図２５０】図２５０は、血塊切断特性をもつらせん／曲がったフィルタ要素を有するフィルタデバイスを示す。
【図２５１】図２５１は、血塊切断特性をもつらせん／曲がったフィルタ要素を有するフィルタデバイスを示す。
【図２５２】図２５２は、血塊切断特性をもつらせん／曲がったフィルタ要素を有するフィルタデバイスを示す。
【図２５３】図２５３は、様々な転換の度合いをもつ縦方向に離間されたリングを有するデバイスを示す。
【図２５４】図２５４は、様々な転換の度合いをもつ縦方向に離間されたリングを有するデバイスを示す。
【図２５５】図２５５は、様々な転換の度合いをもつ縦方向に離間されたリングを有するデバイスを示す。
【図２５６】図２５６は、血塊保持のためのスパイクをもつフィルタ要素を有するデバイスを示す。
【図２５７】図２５７は、血塊保持のためのスパイクをもつフィルタ要素を有するデバイスを示す。
【図２５８】図２５８は、血塊保持のためのスパイクをもつフィルタ要素を有するデバイスを示す。
【図２５９】図２５９は、血塊保持のためのスパイクをもつフィルタ要素を有するデバイスを示す。
【図２６０】図２６０は、フィルタ要素の血塊保持とげ特徴の使用を示す。
【図２６１】図２６１は、フィルタ要素の血塊保持とげ特徴の使用を示す。
【図２６２】図２６２は、フィルタ要素の血塊保持とげ特徴の使用を示す。
【図２６３】図２６３は、フィルタ要素の血塊保持とげ特徴の使用を示す。
【図２６４】図２６４は、フィルタ要素の血塊保持とげ特徴の使用を示す。
【図２６５】図２６５は、血塊が存在する場合には血塊を手動的に刻む構成をもつデバイスを示す。
【図２６６】図２６６は、血塊が存在する場合には血塊を手動的に刻む構成をもつデバイスを示す。
【図２６７】図２６７は、血塊が存在する場合には血塊を手動的に刻む構成をもつデバイスを示す。
【図２６８】図２６８は、血塊が存在する場合には血塊を手動的に刻む構成をもつデバイスを示す。
【図２６９】図２６９は、血塊が存在する場合には血塊を手動的に刻む構成をもつデバイスを示す。
【図２７０】図２７０は、血塊が存在する場合には血塊を手動的に刻む構成をもつデバイスを示す。
【図２７１】図２７１は、血塊を分解するために切り取るタイプの動作をもつフィルタを有するデバイスを示す。
【図２７２】図２７２は、血塊を分解するために切り取るタイプの動作をもつフィルタを有するデバイスを示す。
【図２７３】図２７３は、血塊を分解するために切り取るタイプの動作をもつフィルタを有するデバイスを示す。
【図２７４】図２７４は、血塊を分解するために切り取るタイプの動作をもつフィルタを有するデバイスを示す。
【図２７５】図２７５は、支持部の直径を横切って延び生物分解性結合部によって固定されるフィルタ要素をもつデバイスを示す様々な図である。
【図２７６】図２７６は、支持部の直径を横切って延び生物分解性結合部によって固定されるフィルタ要素をもつデバイスを示す様々な図である。
【図２７７】図２７７は、ループをもつフィルタ要素を有するデバイスを示す。
【図２７８】図２７８は、フィルタ要素が一つ以上のループをもつバリエーションを示す。
【図２７９】図２７９は、フィルタ要素が一つ以上のループをもつバリエーションを示す。
【図２８０】図２８０は、代替的な構成、特に、近位端部において血管壁(図２８０)に垂直であるねじれたフィルタ要素を示す側面図である。
【図２８１】図２８１は、代替的な構成、特に、可撓性フィルタ要素(図２８１)に垂直であるねじれたフィルタ要素を示す側面図である。
【図２８２】図２８２は、代替的な構成、特に、曲がったフィルタ要素(図２８２)に垂直であるねじれたフィルタ要素を示す側面図である。
【図２８３】図２８３は、代替的な構成、特に、曲がったフィルタ要素(図２８３)に垂直であるねじれたフィルタ要素を示す側面図である。
【図２８４】図２８４は、この場合では二つの逆向きコーン形状フィルタを有する本発明のさらなるデバイスを図示する。
【図２８５】図２８５は、この場合では二つの逆向きコーン形状フィルタを有する本発明のさらなるデバイスを図示する。
【図２８６】図２８６は、この場合では二つの逆向きコーン形状フィルタを有する本発明のさらなるデバイスを図示する。
【図２８７】図２８７は、この場合では二つの逆向きコーン形状フィルタを有する本発明のさらなるデバイスを図示する。
【図２８８】図２８８は、二つの逆向きコーン形状フィルタを有するさらなるフィルタデバイスを図示する。
【図２８９】図２８９は、二つの逆向きコーン形状フィルタを有するさらなるフィルタデバイスを図示する。
【図２９０】図２９０は、二つの逆向きコーン形状フィルタを有するさらなるフィルタデバイスを図示する。
【図２９１】図２９１は、二つの逆向きコーン形状フィルタを有するさらなるフィルタデバイスを図示する。
【図２９２】図２９２は、この場合では向き合うコーン形状フィルタを有するさらなるフィルタデバイスを図示する。
【図２９３】図２９３は、この場合では向き合うコーン形状フィルタを有するさらなるフィルタデバイスを図示する。
【図２９４】図２９４は、この場合では向き合うコーン形状フィルタを有するさらなるフィルタデバイスを図示する。
【図２９５】図２９５は、この場合では向き合うコーン形状フィルタを有するさらなるフィルタデバイスを図示する。
【図２９６】図２９６は、この場合ではその頂部が互いに離れて面する二つのコーン形状フィルタを有するさらなるフィルタデバイスを図示する。
【図２９７】図２９７は、この場合ではその頂部が互いに離れて面する二つのコーン形状フィルタを有するさらなるフィルタデバイスを図示する。
【図２９８】図２９８は、この場合ではその頂部が互いに離れて面する二つのコーン形状フィルタを有するさらなるフィルタデバイスを図示する。
【図２９９】図２９９は、この場合ではその頂部が互いに離れて面する二つのコーン形状フィルタを有するさらなるフィルタデバイスを図示する。
【図３００】図３００は、この場合ではその頂部が互いに離れて面する二つのコーン形状フィルタを有するさらなるフィルタデバイスを図示する。
【図３０１】図３０１は、この場合ではその頂部が互いに離れて面する二つのコーン形状フィルタを有するさらなるフィルタデバイスを図示する。
【発明を実施するための形態】
【００４７】
血管フィルタは、下大静脈の下大静脈フィルタとしての使用に適する。一般的な用語では、フィルタは、予め決められた時間経過後に捕捉した状態または閉状態から開状態への変換で移動可能である。捕捉状態では、フィルタは、心臓や肺に向かって下大静脈を通過する血栓を捕捉するように構成されている。このように、フィルタは、肺塞栓症を防止するために使用される。開状態では、フィルタは、制限されない血流を促進するように構成される。
【００４８】
以下のほとんどの実施形態では、フィルタデバイスは、給送のための圧潰によって展開され、少なくとも部分的に給送カテーテルの中に装填される。給送カテーテルは、圧潰されたフィルタデバイスが下大静脈内の所望の位置に到達するまで下大静脈を通じて前進される。次に、給送カテーテルの抑制シースは、フィルタを完全に覆わないためにフィルタに対して近位に移動される。フィルタの付勢力によって、フィルタ１は、給送のために圧潰された状態から展開されたときに拡張された状態に動く。展開されたとき、支持部は、下大静脈の内壁に半径方向外向きの力をかけて、下大静脈の所望の位置に捕捉アームを支持する。
【００４９】
図１乃至図４
フィルタ装置１は、ダブルコーンフィルタを備えている。支持部は、近位フープ２、遠位フープ３、及び二つのフープを互いに連結する縦方向の支持要素４を備える。フィルタ要素６は、各々、対向する頂点において一方のフープから他方のフープまで延びる。従って、フィルタ要素６は、中心にある共通の頂点８をもつダブルコーン構造を形成する。フィルタ要素６は、近位フープ２に解放可能に取り付けられる。好ましくは、ホルダが共通の頂点８の捕捉位置にフィルタ要素を保持する。小穴又はストップ特徴が使用中におけるホルダの移動の可能性を減少させるために提供される。頂点タイが利用されている場合には、フィルタ要素の近位端部は、頂点タイの位置の変更又はフィルタ要素の長さの変更によって、使用中において血管壁から離れて配置されることができる。これは、変換を妨げる近位フィルタ要素の端部の内皮カプセル化を防ぐことができる。フィルタ要素の端部が近位支持フープに取り付けられた場合、細長いタイは、血管壁から離れて配置された近位フィルタ要素の端部を維持するために組み込まれる。
【００５０】
近位支持フープ２は、正弦波パターンで下大静脈の内壁の周りで円周方向に伸びるワイヤ要素を備える。同様に、遠位支持フープ又はフープ３は、正弦波パターンで下大静脈の内壁の周りで円周方向に伸びるワイヤ要素を備える。支持支柱４は、下大静脈の内壁に沿って縦方向に伸びる。支持支柱は、近位支持フープを遠位支持フープに接続する。この場合では、近位支持フープ、遠位支持フープ及び支持支柱は、一体に形成される。近位支持フープ、遠位支持フープ及び支持支柱は、ニチノール（商標）などの形状記憶材料とすることができる。
【００５１】
使用では、近位フープ２からフィルタ要素６を解放によって、エネルギ刺激の生物分解又はアプリケーションによって、近位コーンは、頂点が近位方向に移動するように大きさが減少する。しかしながら、血塊が存在する場合には、フィルタ要素が完全に開くのを防止し、コーンは小さくなるがフィルタ要素は、近位コーン形状を保持し続ける。血流は、血塊Ｃをフィルタ要素６に衝突させ、近位コーンを保持する。従って、フィルタ要素の付勢力と血流方向の血塊によって及ぼされた力との間の自然なバランスがある。このコーンの大きさは、血塊Ｃの大きさが小さくなるにつれて小さくなる。最終的には、血塊が消失したときに、フィルタ要素の全ては、血管壁に戻る。頂点は、血塊が完全に溶解するまで近位円錐形状を保持するためにフィルタ要素の最近位端部に到達するまで、頂点をそのまま維持する手段で構成され又はその手段を備える。
【００５２】
デバイスが、現に存在する場合には血塊を変換後に保持するだけでなく、付加的に変換後の期間に対してはろ過を提供し続けることが、上記実施の形態及び以下のいくつかの実施の形態から理解されよう。
【００５３】
図５乃至図２５
フィルタデバイス２０は、近位フープ２１、遠位フープ２２、及び二つのフープを互いに連結する縦方向の支持要素２３を備える。フィルタ要素２５乃至２８は、遠位フープ２２の頂部に片持ちされたループの形態である。
【００５４】
フィルタデバイス２０は、ループがＡ、Ｂ、Ｃ及びＤと分類された図８乃至図１５に示された方法で使用されるのが好ましい。ループＡは、ループＢを通過し、ループＡは、ループＢを通過し、ループＣは、ループＡ及びＢの双方を通過し、及び、ループＤは、ループＡ、Ｂ及びＣを通過する。そして、これらのループは、その開口部が接触するまで離間されて押し付けられ、従って、頂部を形成する。ループ２５乃至２８は、それらが上述したように他のループを容易に通過することができるように異なった大きさである。生物分解性ピン２９は、捕捉位置が保持されるように二つのループを通じて延びる。代替的に、ホルダ部材は、ループ又はタイである。
【００５５】
使用では、血塊は、４つのループが閉じた位置にあるときに４つのループ２５乃至２８によって保持される。ホルダ部材が減成すると、ループの自然弾性力が開放位置に推進する。しかしながら、血塊が存在する場合には、血塊は、図１乃至図５に示されたものとどうようにループ２５乃至２８を閉じた状態に保持する。血塊が予め決められた大きさに溶解されるときだけ、ループ２５乃至２８は、図５に示された位置まで完全に開くために自由である。
【００５６】
変形例では、作動するときに見たときに半径方向内方の曲線を含むように形成されることができ、従って、内皮カプセル化を防止する。柱変換、これは、軸線に対して様々な角度に起因して半径方向外方の曲線になり、内皮カプセル化を促進する。
【００５７】
図１９乃至図２５は、より詳細にフィルタ２０の様々な部分を示す平面図である。
フィルタがループの形態であるため、より大きな捕捉効率を提供することに加えて単一のアームよりもより強度であるということが理解されるであろう。
図２６乃至図３２は、単に４つの頂部を有する近位支持フープと、単に４つの頂部を有する遠位支持フープ４２と、フープ４１とフープ４２との間を延びる縦方向の脈管接触支持部材４３とを有するフィルタデバイス４０を示す。４つのループフィルタ要素４４、４５、４６及び４７がある。図２７及び図２９に最も明瞭に示されるように、フィルタループは、単一の方持ち梁リンク４９によって遠位フープ４２の近位頂部に接続される。フィルタリング支柱５０は、付加的なろ過効率のため及び相互連結のために関連したループに延びる。図２６（ｂ）は、フィルタ要素全てを相互連結して保持するのに十分な、二つのフィルタ要素間に接続されたホルダピン４８を示す。
フィルタリング支柱５０は、分岐されており、その端部は、相互連結のために図２９に示すように離れる方向に曲げることができる。
図３０乃至図３４に最も明瞭に示すように、フィルタ要素４４乃至４７は、内皮拡張を促進する方法で、血管壁に抗して半径方向に付勢される。
図３５乃至図３７
この実施形態のフィルタデバイス８０は、単に、単一の遠位支持フープ８１を有する。これは、４つのループフィルタ要素８４、８５、８６及び８７を支持する。このデバイスは、特に簡単であり、空間が限られている状況に適する。
図３８乃至図４０
フィルタデバイス１００は、縦方向の支持部を必要としないで直接的に相互連結された遠位支持フープ１０１及び近位支持フープ１０２を有する。４つのループフィルタ要素１０４、１０５、１０６及び１０７は、近位フープの先端の遠位端部から支持される。
【００５８】
図４１乃至図５４
この実施形態では、フィルタデバイス１２０は、近位支持フープ１２１と、遠位支持フープ１２２と、その間の縦方向の支持部１２３とを備える。この場合では、３つのループフィルタ１２４−１２６と、３つの直線フィルタ要素とがあり、それらは、図４４に示されるように、生体吸収タイ１３０によって捕捉位置に保持される。ループフィルタ要素は、片持ち梁１２９によって遠位フープ１２２から支持される。直線フィルタ要素は、近位フープの頂部から支持され、図４４に示されるように、ループフィルタ要素を通じて延びる。図４５乃至図５０は、捕捉位置から開位置までの発展を示す。図５１乃至図５４は、フィルタ要素が徐々に開く際に、いかに血塊Ｃが捕獲された後に大きさが徐々に小さくなるかについて示す。再度、前の実施形態と同様に、フィルタ要素によって加えられた半径方向内方への力は、それらが開位置にそれらの支持部によって付勢されるときの溶解との組み合わせで血塊が分解するのを促進する。図５３は、いかに血塊Ｃの存在が保護期間が経過したにもかかわらず、フィルタ要素の開口部を防ぐかについて明瞭に示す。それによって、フィルタデバイスが血流のせいで血塊によって遠位方向へかけられた力を利用する。
【００５９】
この実施の形態の特徴は、より効果的に血塊を中心部に案内することによって血塊の捕捉を強化するために、フィルタ要素がその端部で半径方向内方に曲がっていることである。
【００６０】
図５５乃至図６２
フィルタデバイス１４０は、近位支持フープ１４１と、遠位支持フープ１４２と、それらの中間の縦方向の支持部とを有する。３つのループフィルタ要素１４４乃至１４６は、遠位フープ１４２の頂部から片持ち梁のリンクによって支持される。直線アーム及びアーム上のループを備える３つの追加のフィルタ要素１５０がある。
【００６１】
それは使用目的に応じて、３つまたは４つ以上のループフィルタ要素が存在することができるということが理解されるであろう。
【００６２】
図６３乃至図６９
フィルタデバイス１６０は、近位支持フープ１６１と、遠位支持フープ１６２と、それらの中間の縦方向の支持部材１６３とを有する。この場合では、フィルタ要素は、第１の実施形態で示したのと同様に直線である。生物分解性タイは、あらかじめ決められた時間に対して捕捉位置に要素１６４を保持する。しかしながら、血塊が存在する場合に上記のように他の実施例に関して、要素１６４は、血塊がフィルタ要素を通過し患者に害を与えない形状まで分解されるまで血塊を維持するために閉鎖されたままである。
【００６３】
図７１乃至図７８
フィルタデバイス１８０は、近位支持フープ１８１と、遠位支持フープ１８２と、それらの中間の縦方向の支持部材１８３とを有する。この場合では、６つのフィルタ要素１８４が細長くてそれらの端部で半径方向に湾曲されている。生物分解性タイは、あらかじめ決められた時間に対して捕捉位置に要素１８４を保持する。しかしながら、血塊が存在する場合に上記のように他の実施例に関して、要素１８４は、血塊がフィルタ要素を通過し患者に害を与えない形状まで分解されるまで血塊を維持するために閉鎖されたままである。曲がった方向は、断面領域がフィルタ要素１８４の遠位端部を覆った状態で断面領域オフセットを覆うためなどであることが理解されるであろう。従って、血塊がフィルタ要素１８４によって形成された第１のコーンを通過した場合、フィルタ要素の遠位端部によって形成された遠位コーンによって捕捉される可能性がある。
【００６４】
図７９乃至図８２
フィルタデバイス２００は、近位支持フープ２０１と、遠位支持フープ２０２と、それらの中間の縦方向の支持部材２０３とを有する。この場合では、６つのフィルタ要素２０４が細長くてそれらの端部で半径方向内方に湾曲されている。生物分解性タイは、あらかじめ決められた時間に対して捕捉位置に要素２０４を保持する。再び、血塊が存在する場合に、要素２０４は、血塊がフィルタ要素を通過し患者に害を与えない形状まで分解されるまで血塊を捕捉し続けるために閉鎖されたままである。内方への湾曲は、血管の直径の範囲で血管壁から自由端を離間させることを保持することによって閉鎖位置の間に内皮カバレッジを防ぐのを補助する。変換に基づいて、要素２０４は、血管壁を押圧し、内皮カバレッジを助ける。
【００６５】
図８３乃至図９０
フィルタデバイス２２０は、遠位支持フープ２２１だけを有し、これは、近位方向に延びる１２個のフィルタ要素２２４を支持する。フィルタ要素２２４は、最初は直線であり、それから曲がってそれらの自由端部の方に傾斜される。閉鎖位置では、角度付き端部は、その頂部で軸線を中心にねじれ（好ましくは９０度）、配置を拘束する小さい穴は、曲がらないことを防止する。変換に基づいて、フィルタ要素２２４は、開位置に移動する際に巻き戻され、変換のときに血塊が存在する場合には、その巻き戻しは、分解を加速するために血塊を溶解するのを助ける。
【００６６】
図９１乃至図９８
フィルタデバイス２４０は、近位支持フープ２４１と、遠位支持フープ２４２と、それらの中間の縦方向の支持部材２４３とを有する。この場合では、６つのフィルタ要素２４４が細長くてＹ形状である。生物分解性タイは、あらかじめ決められた時間に対して捕捉位置に要素２４４を保持する。しかしながら、血塊が存在する場合に上記のように他の実施例に関して、要素２４４は、血塊がフィルタ要素を通過し患者に害を与えない形状まで分解されるまで血塊を捕捉し続けるために閉鎖されたままである。Ｙ形状は、増加した剛性を達成するために重なり合う端部を提供することが理解されるであろう。
【００６７】
図９９乃至図１０２
フィルタデバイス２６０は、近位支持フープ２６１と、遠位支持フープ２６２と、それらの中間の縦方向の支持部材２６３とを有する。この場合では、２つのフィルタ要素２６４が細長くてフォーク状である。近位支持フープは、４つの近位頂部と４つの遠位頂部を有し、遠位支持フープは、６つの近位頂部及び遠位頂部を有する。これは、フォーク状フィルタ要素に対して付加的な空間を提供し、遠位支持フレームに連結された近位支持部の全ての遠位頂部を保持しながら開状態で（擦過腐食を防止するために）非閉鎖にする。生物分解性タイは、あらかじめ決められた時間に対して捕捉位置に要素２６４を保持する。しかしながら、血塊が存在する場合に上記のように他の実施例に関して、要素２６４は、血塊が十分に分解されるまで血塊を捕捉するために閉鎖されたままである。一つ又は多数のフィルタ要素が提供される。フィルタ要素のフォークは、２つ、３つ又はそれ以上の突起を有する。フォーク付き突起は、開状態で非閉鎖された血流のために半径方向に湾曲され、血塊の捕捉効果を変更するために軸方向に湾曲されることができる。
【００６８】
図１０３乃至図１０６
フィルタデバイス２８０は、近位支持フープ２８１と、遠位支持フープ２８２と、それらの中間の縦方向の支持部材２８３とを有する。再度、近位支持フープは、遠位支持フープよりも少ない頂部を有する。４つのフィルタ要素は、細長くフォーク状であり、付加的に閉じた状態で半径方向内方かつ近位方向に延びる尾根２８５を含む。生物分解性タイは、あらかじめ決められた時間に対して捕捉位置に要素２８４を保持し、血塊が存在する場合に、要素２８４は、血塊が十分に分解されるまで血塊を捕捉するために閉鎖されたままである。
【００６９】
図１０７及び図１１４
フィルタデバイス３００は、近位支持フープ３０１と、遠位支持フープ３０２と、それらの中間の縦方向の支持部材３０３とを有する。再度、近位支持フープは、遠位支持フープよりも少ない頂部を有する。２つのフィルタ要素は、細長くフォーク状であり、二つのフィルタ要素３０５は、直線である。生物分解性タイは、あらかじめ決められた時間に対して閉じた位置に要素３０４及び３０５を保持し、血塊が存在する場合に、要素３０４及び３０５は、血塊が十分に分解されるまで血塊を捕捉するために閉鎖されたままである。このフィルタ要素の組み合わせは、強化されたフィルタ範囲及び信頼できる開口部との間に優れた妥協を実現する。
【００７０】
図１１５乃至図１１９
デバイス３２０では、二組の近位フィルタ要素３２１及び遠位フィルタ要素３２２がある。近位フィルタ要素３２１は、支持部３３３の近位端部から血管の中心まで延び、それらは、近位コーンを形成するために開放可能に結合される。遠位フィルタ要素３２２は、支持部３３３の遠位端部から血管の中心まで延び、それらは、第２の遠位コーンを形成するために開放可能に結合される。近位コーン３２１は、溶解が最適である保護期間に対して、血管の中心部に血塊を保持する。それは、最初に変換され、追加の時間の後、遠位コーンが変換する。近位コーン３２１が変換する際に血塊が存在する場合、血塊は、血管壁で遠位コーン３２２によって形成された環状の領域に移動する。遠位コーン３２２が変換する際に血塊がさらに存在する場合、フィルタ要素は、溶解が完了するまで、血管壁で血塊を保持する。
【００７１】
図１２０乃至図１２４
フィルタデバイス３４０は、互いに面するフィルタ要素の二つの円錐セット３４１及び３４２を有する。要素３４２は、Ｖ形状である。近位セット３４１は、支持部３４３の近位フープから、遠位支持フープの１つ又は２つのポイントまで遠位方向に延びる要素３４２にそれらが取り付けられるコーンの頂部まで延びる。近位及び遠位フィルタ要素は、一体に形成され、又は、生物分解性拘束部で取り付けられることができる。各遠位要素に対して一つの近位要素にすることができる。これは、第１段階が大きな血塊を捕捉し、第２に段階が小さな血塊を捕捉する二つの段階ろ過を提供する。代替的に、各Ｖ形状遠位要素に対して二つの近位要素にすることができ、近位的及び遠位的に同様な捕捉効果を提供する。遠位のＶ形状要素は、変換時に血管壁に対する血塊の保持を助ける。
【００７２】
図１２５乃至図１３８
フィルタデバイス３６０は、近位支持フープ３６１と、遠位支持フープ３６２と、縦方向の支持リンク３６３とを有する。二つのフィルタ要素３６４は、近位支持フープ３６１から延び、各要素３６４は、第１フィルタ支柱３６５と、第１ヒンジ３６６と、第２フィルタ支柱３６７と、第２ヒンジ３６８と、安定支柱３６９と、小穴３７０とを備える。デバイス３６０を閉位置に組み立てるために、第２フィルタ支柱３６７は、第１ヒンジ３６６で曲げを形成する中心軸を超えて引き出されており、安定支柱３６９は、第２ヒンジ３６８で対向する曲げを形成する中心線に戻って曲げられる。位置に保持すると、残存するフィルタ要素３６４のために同じことがなされ、生物分解性タイは、小穴３７０を通じて通され、それらを位置に保持する。これは、同じ方向に二つのコーンポイントを形成する。近位コーンは、血塊を解放し、遠位コーンは、血塊を保持する。変換時に血塊が存在する場合には、安定支柱３６９は、第２フィルタ支柱に沿ってスナップバックし、それによって、血塊を血塊解放コーンから解放する。この後、血塊は、（血塊保持コーンで）第１フィルタ支柱３６５と第２フィルタ支柱３６７との間に閉じ込められる。フィルタ要素は、溶解が完了するまで血塊を捕らえる。図１２９乃至図１３２は、閉状態にある全てのフィルタ要素示す。図１３３乃至図１３６は、説明のみを目的とするために閉状態にある一つだけのフィルタ要素を示す。
【００７３】
図１３７及び図１３８で示されたこの実施形態の変形例では、フィルタ要素３８０は、第１フィルタ支柱３８１と、第１ヒンジ３８２と、第２フィルタ支柱３８３と、フィルタセル３８４と、第２ヒンジ３８５と、小穴３８６とを有する。この実施形態では、セルの列が相互結合する。第１セルは、第２の大きなセルと内側で適合し、このアッセンブリは、第３の大きなセルと内側で適合する。各アッセンブリは、全てのセルが相互連結されるまで隣接する最も大きなセルと内側で適合する。そして、安定支柱は、安定支柱があらかじめ決められた期間が経過するまでセルが開くのを防止するように生物分解性構造で結ばれる中央位置で合うように操作される。各セルは、次のセルの中に適合するように異なる大きさ又は形態を有する。好ましくは、デバイスは、偶数の要素３８０を有し、二つの最も小さい要素は互いに向き合い、次の二つの要素は、互いに向き合う大きさであるなどである。各対向するペアに対して、一方のフィルタ要素は、インセット安定支柱であり、他方のフィルタ要素は、アウトセット支柱である。これは、信頼性の高い開口部を助ける。代替的に、６つ又はそれ以上のフィルタ要素に対して、三つの最も小さいセルは、それらが環状に等間隔になるように配置されることができる。二重又は三重でペアリングすることは、最適溶解のための中央の場所に血塊を保持する中央変換を確実にする。また、あらゆる他の適当な形状でそれらを配置することができる。
【００７４】
図１３９乃至図１４２
フィルタデバイス４００は、フィルタの近位端部にある近位支持フープと、フィルタの遠位端部にある遠位支持フープと、近位支持フープと遠位支持フープとの間で延びる複数の支持支柱とを有する支持部４０１を備える。
【００７５】
フィルタデバイス４００は、下大静脈を通る血栓を捕捉するための複数のフィルタ要素４２０を備える。各要素は、近位支持フープと一体に形成される。
【００７６】
要素４０２は、捕捉状態（図１３９）から所定の期間の経過後の開状態（図１４２）まで移動可能である。捕捉状態では、要素は、心臓や肺（図１４０）に向かって下大静脈を通過する血栓を捕捉するように配置されている。開状態では、要素は、制限がない血流を促進するように形状づけられている。
【００７７】
捕捉状態では、要素は、頂部に対して実質的に直線に延びている。このように、要素４０２は、その内部で血栓が捕捉される概ね円錐形状の捕捉領域を画定する。フィルタが下大静脈に配置されると、頂部は、下大静脈の中心を通って延びる長手方向軸と実質的に一致し、捕捉領域は、下大静脈の中心の領域に配置される。フィルタが下大静脈に配置されると、捕捉アームは、下大静脈を通じて血流方向に延びる。
【００７８】
遠位支持フープの遠位端部は、捕捉アーム及び頂部の遠位側に配置され、近位支持フープの近位端部は、捕捉アームの近位側に配置される。
【００７９】
捕捉アームは、捕捉状態から所定の期間の経過後の開状態まで移動可能である。捕捉アームは、開状態の方に付勢される。
【００８０】
フィルタは、所定の期間が経過するまで要素を捕捉状態に一時的に保持するために要素４０２の遠位端部にホルダ（図示せず）を備える。ホルダは、各要素と係合して要素を捕捉状態に保持する。ホルダは、所定時間経過後に生物分解及び／又は生体吸収可能である。ホルダの生物分解及び／又は生体吸収時に、要素は、捕捉状態から開状態まで自由に動く。要素は、生物分解性又は生体吸収性ではない。
【００８１】
フィルタは、圧潰された給送状態と拡張された展開形状との間で移動可能である。フィルタは、展開形状の方へ半径方向外側に付勢される。フィルタが下大静脈に配置されるとき、支持フープは、下大静脈の内壁に対して半径方向外方に力をかける。このように、支持フープは、下大静脈の内壁に対して所定の場所に捕捉アームを支持する。
【００８２】
心臓及び肺に向けって血栓が下大静脈を通過する場合、血栓は、フィルタ(図１４０)の捕捉領域で捕捉される。従って、血栓は、そうでない場合は肺塞栓症につながる可能性のある心臓や肺に通過されるのを防止される。捕捉された血栓は、より小さい臨床的に重要でない粒子に溶解を通じて漸進的に分解される。
【００８３】
ホルダ部材は、所定時間が経過するまでの間フィルタ要素を捕捉状態に一時的に保持する。所定時間経過後にホルダは、生物分解又は生体吸収される。これは、要素が捕捉状態から開状態まで動くのを可能にする（図１４２）。開状態では、フィルタは、制限のない血流を促進する。支持フープ及びフィルタ要素は、下大静脈（図１４２）に残存する。
【００８４】
さらに、アーム４０２によって形成された円錐形フィルタは、血塊保持（rention）特徴を備える。生分解性結合部４０５は、Ｌ字状の捕捉アーム４０６を対向する捕捉アーム４０７に結合する。生分解されると、両方のフィルタ要素は、血管壁に戻る。Ｌ字状の捕捉アーム４０６は、血塊が存在する場合には血塊を保持し、血塊の溶解を助けるために圧縮力を適用する。わかりやすくするため、上下の対向するフィルタ要素だけが示されていることに留意してください。結合部５０６の分解後に血塊を保持するこの作用は、抱茎と呼ばれることがある。
【００８５】
上記実施の形態と同様に、このフィルタデバイスは、ホルダ（この場合では結合部４０５）の生物分解によって画定された期間の後に開き、血塊が存在する場合には血塊を保持し続ける。図１乃至図１３８の実施形態では、血塊が溶解しながら徐々に小さくなるので、近位コーンは残存する。この実施形態では、“クラスプ”は、フィルタ要素４０６のＬ字状の形状のために残存する。
【００８６】
図１４３乃至図１５０
フィルタデバイス４２０は、近位支持フープ４２１を備え、そこからフィルタ要素４２２及びクラスプ４２３が延びる。各クラスプ４２３は、クラスプコネクタ４２６、クラスプヒンジ４２７、及びクラスプ先端部４２８を備える。各フィルタ要素４２２は、先端部４５０及びフォーク要素４５１を備え、フォーク要素の近位端部は、フープ４２１に結合される。図１４７に示されるように、クラスプは同じ符号が与えられるが、一方は、他方よりも実際にわずかに小さい。クラスプコネクタは、フープと一体に形成される。デバイスを組み立てるためには、大きなクラスプ先端部は、支持リングの中心軸線を横切って引っ張られ、クラスプ先端部をフープ４２１に結合する生物分解性タイで適所に保持される。小さなクラスプ４２３は、中央軸線を横切って大きなクラスプを通じて引っ張られ、生物分解性フィラメントでフープ４２１に連結される。フィルタ要素４２２及び先端部４５０は、最も近いクラスプヒンジ４２７に連結される。代替的な実施形態では、小穴及びピンホルダが、代替的に使用される。また、好ましくは長手方向の支柱によって結合された遠位支持フープを追加的に存在することができる。
【００８７】
図１４７乃至図１５０に示されるように、予め決められた保護が経過したときに血塊が存在する場合には、クラスプは、血塊をロックし、血栓が溶解するまで、血管壁に戻らない。クラスプは、血管壁に近づくにつれて半径方向内方に曲がり、従って、変換後の血塊を保持するときに改良されたグリップを提供しながら捕捉位置中に内皮カバレッジを防止する。
【００８８】
図１５１乃至図１５５
図１５１乃至図１５５を参照すると、フィルタデバイス４４０は、近位フープ、遠位フープ及び中間の支柱を有するステントのような支持部４４１を備える。フィルタ要素４４２は、小穴４４３及びコネクタ４４４を有するＵ字形状をもつ。コネクタ４４４は、近位フープで支持部４４１に結合されるが、代替的に、ストラット、遠位フープ、又は縦方向のコネクタで支持部４４１に結合されることができる。小穴４４３は、デバイスの直径を横切って引っ張られ、生物分解性縫合糸の長さによって支持部４４１に結合される。代替的に、リンク部材は、対向側の支持部４４１から各フィルタ要素まで延びて提供され、各リンク部材は、タイ、ピン又はキャップなどの生物分解性ホルダでフィルタ要素に結合される。ホルダ部材は、血管壁において流れの外方に配置される。リンク部材は、どちらかのフープの近位頂部又は遠位頂部のどちらか一方から、又は、支柱から、延び、あるいは、実際に支持部の部分間の連結ポイントから延びる。また、リンク部材は、一方の直線コネクタから次の直線コネクタまでジグザグ形状に延びることができる。
【００８９】
図１５６及び図１５７（ａ）乃至図１５７（ｊ）
図１５６及び図１５７（ａ）は、二つの代替的なフィルタ要素４６０及び４８０を示す。要素４６０は、コネクタ４６１、安定ストラット４６２、ヒンジ４６３、セルコネクタ４６４、フィルタセル４６５を備え、フープ先端小穴４６６を含む。要素４８０は、コネクタ４８１、安定ストラット４８２、ヒンジ４８３、セルコネクタ４８４、小穴４８５及びフィルタセル４８６を備える。
【００９０】
これらの実施形態では、セルは、追加の剛性を提供する。３つのセルフィルタに対し、第１セルは、第２の大きなセルの内側に適合し、このアッセンブリは、第３の大きなセルの内側に適合する。追加のセルに対し、各アッセンブリは、全てのセルが相互連結されるまで次の大きなセルの内側に適合する。偶数のフィルタ要素を有するフィルタは、それらが上記４つのループ実施形態のように釣り合った相互連結のために対抗する組になるように配置されることができる。閉じた状態でフィルタエレメント４６０を組み込むフィルタを組み立てるために、セルは、上述のように相互連結され、各セルの先端部は、生物分解性タイによって血管の反対側において支持フレームから延びるリンク部材に連結される。リンク部材及びフィルタセル先端部は、生物分解性ピンの使用を容易にするために小穴が提供される。リンク部材は、直線状又はＶ字状にすることができ、近位方向又は遠位方向に延びることができ、好ましくは、直線状リンク部材は、フィルタ要素が血管の反対側において近位の王冠の二つの遠位頂部から延びる場合に近位の王冠の近位頂部から遠位方向に延びる。代替的に、縫い糸の長さは、リンク部材を使用しないで支持フレームにセル先端部を結合するのに使用されることができる。各セル先端部が互いに独立して結ばれると、各タイは、同じ分解期間又は別個の分解期間が提供される。開状態への変換を妨げる内皮カプセル化を防ぐために使用中にセルの先端部を血管壁から所定の距離で保持するために有利であり、リンク部材又は縫合糸は、これを達成する。４つのセルフィルタに対して、二つの対向するフィルタ要素だけが、全ての４つのセルを閉じた状態に保持するために固定される必要がある。同様に、６つのセルフィルタに対して、３つの等距離のセルだけが、全ての６つのセルを閉じた状態に保持するために固定される必要がある。閉じた状態でフィルタエレメント４８０を組み込むフィルタを組み立てるために、セルは、上述のように相互連結され、最小の二つのセルが生物分解性／生物学的安定性のループ、ピン又はキャップで互いに解放可能に固定される。好ましくは、小穴又はタイ保持手段は、セルコネクタに提供される。その後、ピン又はループの形態の生物分解性タイは、適所にフィルタ要素を保持する二つの小穴を結合する。３つ、４つ又はそれ以上のフィルタ要素は、上述のように提供できる。４つのフィルタ要素が提供される場合には二つの対向するフィルタ要素だけが固定される必要があり、好ましくは、二つの最も近位に面するセルが小穴を使用してセルコネクタに結合される。ひとたび４つのセルフィルタのうちの二つの対向するセルが固定されると、残りの要素もまた固定される。６つ又はそれ以上のフィルタ要素を有するデバイスに対しては、最も小さい３つのセルは、環状に等間隔になるように配置される。この場合では、３つの等距離にあるセルだけが互いに固定される必要がある。ダブル又はトリプルのペアは、最適な溶解のための中央の位置に血塊を保持する中心変換を確実にする。また、全てのセルを固定することができ、信頼性の高い開口部を達成するために他の構成でセルを配置することもできる。一つのクラスプ又は可動部分は、ろ過を提供するために使用されることができる。
【００９１】
図１５７（ｂ）乃至図１５７（ｊ）は、血管壁に沿った縦方向の支持部材６３によって相互連結された、８つの頂部を有する近位支持フープと、４つだけの頂部を有する遠位支持フープ６２を備える。この実施形態では、要素４８０に非常に似た４つのループフィルタ要素６４、６５、６６及び６７がある。この場合では、フィルタ要素は、近位フープ６１の遠位頂部から延びる支持フープ７０を介して近位フープ６１から支持される。支持ループ７０は、支持ループ７０の遠位端部から延びるリンク７１によってそれぞれのループに接続される。ループは、相互連結されて捕捉位置を提供する。ループは、図１５７（ｄ）に示されたピン７２によって捕捉位置に保持される。
【００９２】
フィルタ要素４６０を使用する変形例では、ホルダ部材は、近位支持フープの様々な位置から少なくとも２つのフィルタ要素まで遠位方向に延びる可撓性タイの形態である。フィルタ要素４６０の小穴は、これのために使用される。これは、４つ全てのループを捕捉位置に保持するのに十分である。
【００９３】
代替的に、生物分解性ではないホルダ連結リンクは、支持部から延び、生物分解性ピン又はタイによって小穴でフィルタ要素ループに連結される。リンクもまた小穴を有する。
【００９４】
図１５のループフィルタ要素上にフィルタ要素４６０又は４８０のいずれかを有する近位及び遠位支持フレームを組み込むフィルタデバイスの利点は、埋め込み場所内に減少したパーキングスペースを提供することである。
【００９５】
図１５８乃至図１６１
フィルタデバイス５００は、ろ過スクリーンを有する中央ヒンジループ５０２に延びる近位らせん状支持コイル５０１を備える。ループの自由端部は、近位らせん状支持部に解放可能に取り付けられる。スクリーンの解放時に、血塊が存在する場合には、血塊は、溶解が完了するまでろ過ループの二分の二の間で捕捉される。スクリーン５０２の復元力は、図１６１に示された閉じた位置の方にスクリーンを付勢させ、従って、血塊を積極的に溶解する。また、近位フープから、又は、縦方向の支持部材で連結された近位支持フープと遠位支持フープとの間に、延びるろ過ループを有することができる。ループ及びろ過スクリーンは、開状態で流れを妨げないように湾曲した面を有する。代替的に、ルーフの各半分は、ろ過スクリーンが必要とされないように正弦波のパターンに形成される。
【００９６】
図１６２乃至図１６７
フィルタデバイス５２０は、円錐形の受け入れスペースを備える。一方のフィルタ要素５２２は、残りのフィルタ要素５２３の一部分に取り付けられる頂部まで延びる。アーム５２３は、生物分解性ホルダ部材５２４を有し、これらのアームの遠位端部は、ホルダ部材５２４が分解後に小型のコーンを形成する。生物分解の際、捕捉アーム５２３は、それらがアーム５２２によって正しい位置に保持される血管壁まで移動する。血塊が存在する場合には、血塊は、血管壁で小型コーンに保持される。小型コーンが完全に溶解されたときに壁に横たわって移動するように形状記憶が提供される。この動作は、図１６５に示される。
【００９７】
図１６６及び図１６７は、デバイス５４０に近位支持リング５４１がある変形例の軸方向から見た図を示す。一つの完全なＶ字状アーム５４２と、生物分解性ホルダ部材５４４を有する５つのアーム５４３とがある。
【００９８】
図１６８乃至図１７２
フィルタ５６０は、ステントのような支持部５６１と、Ｍ字状のフィルタ５６２とを備え、フィルタ５６２の要素は、支持部５６１の近端の両端部から遠位方向に内方に延び、それらが解放可能に結合される血管の中心に配置された頂部５６３に近位方向に延びるように曲がる。これは、血塊が捕捉される環状領域を形成する。変換時には、フィルタ要素は、血塊が存在する場合には血塊を溶解が完了するまで血管壁まで運ぶ。上下のフィルタ要素だけが血管図に示されることに留意する。
【００９９】
この実施形態では、クラスプは、環状形状で血管の周りの全ての方向に延び、従って、特に効果的な血塊の保持を提供する。
【０１００】
図１７３乃至図１７５
Ｍ字状のフィルタを有する代替的なデバイス５８０は、格子保持特徴を有する。上下のフィルタ要素だけが図１７３の血管図に示されることに留意する。
【０１０１】
図１７３及び図１７５を参照すると、フィルタ格子は、圧縮された平面図と拡張された平面図のそれぞれで示される。
【０１０２】
格子保持特徴は、血塊が存在する場合には変換後に血塊を捕らえるための多くの表面領域を提供する。一つ又はそれ以上の近位保持格子頂部が使用される。多孔質膜、不織布繊維、または別のろ過構造が、保持格子に取り付けられ、血塊が存在する場合には変換後に血塊を捕らえることを補助する。この付加的な構造は、生物分解性材料を組み込むことができる。
【０１０３】
図１７６及び図１７７
Ｍ字状のフィルタ６０１を有するデバイス６００は、代替的な格子保持フィルタを有する。これは、血塊を保持しているときに改善された構造的な剛性及びセルスペースを提供する閉じたセルを含む。一つ又はそれ以上の保持セルが使用される。上下の捕捉アームだけが血管図に示されることに留意する。
【０１０４】
図１７８乃至図１８２
フィルタデバイス６２０は、近位支持格子６２１を備える。フィルタ６２２は、中央ろ過格子６２３と、中央ろ過格子６２３を近位支持格子６２１に連結するろ過要素６２４とを備える。中央ろ過格子６２３は、ホルダによって予め決められた時間後に、環状ろ過領域に保持された血塊Ｃを圧縮するためにタイ、リング又はチューブの形態に拡張する。再度、フィルタが閉鎖位置にあるが解放後でさえも図示のように血塊を保持する効果的なろ過があり、格子も追加の半径方向の力を提供して溶解を通じて血塊を分解するのを助ける。
【０１０５】
図１８３乃至図１８７
フィルタデバイス６４０は、フィルタ６４２が連結された近位格子環状支持を有する。フィルタ６４２は、代替的な格子保持特徴を有する。格子保持特徴は、血塊を保持しているときに改善された構造的な剛性及びセルスペースを提供するために閉じたセルを提供するジグザグ配置６４３を有する。この保持セルは、追加の半径方向の力を提供して溶解を通じて血塊を分解するのを助け、変換時に遠位支持特徴になる。
【０１０６】
図１８６及び図１８７は、より詳細にその構成を示すために平面図のデバイスを示す。
【０１０７】
追加の近位支持リングが、傾斜特性を改善するために追加される。特徴は、近位支持と捕捉アームとの間に可撓性を提供する近位フープの最も遠位頂部に付加されることができる。これは、血管壁からの支持リングの離昇を最小限に抑える。大きな近位セルは、小さな遠位セルと共に展開され、より大きな近位の半径方向の力及びより小さな遠位の半径方向の力を提供する。これは、血管壁からの離昇を防止するのに役立つ。
【０１０８】
図１８８乃至図１９１
フィルタ６６０は、ステントのような支持部６６１と、Ｍ字状のフィルタ６６２と、Ｍ字状のフィルタ６６２の上流側の対角フィルタ要素６６３とを有する。近位フィルタ要素６６３は、大きな血塊がフィルタ６４１の受け入れスペースに達する前に、大きな血塊を切断するように形状づけられる。近位フィルタ要素６６３は、それが血管の中心を通過するように一方の支持アームから対向する支持アームまで垂直に延びる生物分解性つなぎ綱からなる。血管が呼吸中に円筒形から楕円形へ変化するに応じて、つなぎ綱は血塊に切断作用を与える。使用された場合、血管のフィルタの配向は、つなぎ綱の切断能力に影響しない。放射状に圧縮する動脈と異なり、下大静脈は、軸方向に脈打つ。
【０１０９】
図１９２乃至図２０５
フィルタデバイス６８０は、近位支持フープ６８１、中間ストラット６８２及び遠位支持フープ６８３を備える。フィルタ要素６８４は、それらが収束するまで遠位方向に二つのアームで延び、単一のアームが近方向に延びる。構成の詳細が図１９２乃至図１９７に示される。図２０２乃至図２０５に示されるように、閉じられたときに、フィルタ６８４は、生物分解性ホルダによって保持され、特に効果的なろ過領域を提供する。
【０１１０】
図２０６乃至図２１４
フィルタデバイス７００は、近位支持フープ７０１、中間ストラット７０２及び遠位支持フープ７０３を備える。フィルタ要素７０４は、Ｖ字状のフィルタ要素コネクタ７０６と小穴７０７とを備える。これは、Ｍ字状フィルタのための特に効果的な配置である。
【０１１１】
図２１５乃至図２１８
フィルタデバイス７２０は、ステントのような支持部７２１と、円錐形のフィルタ７２２とを有する。円錐形のフィルタ７２２は、上記多くの実施の形態に対して逆に動作し、血塊Ｃを血管壁に導き、頂部のホルダ部材による解放後に血塊を分解する。再度、このデバイスは、フィルタが閉じられたときに非常に効果的なろ過作用を提供し、開いたときに血塊が分解されるまで血塊を保持する。フィルタ要素の半径方向外方の付勢力は、血塊の溶解に積極的に寄与する。Ｖ字状のフィルタ要素もまた図示の直線状フィルタ要素の代わりに使用されることができる。
【０１１２】
図２１９乃至図２２２
フィルタデバイス７４０は、遠位支持格子７４３、リバースコーンフィルタ７４２及び近位格子７４１を備える。近位格子７４１は、ホルダ部材の生物分解又はエネルギ刺激の適用によって収縮状態から拡張状態に移動可能である。近位格子７４１は、変換処理中に血塊が存在する場合には血塊の繰り返し可能な保持を助ける。近位格子７４１は、の半径方向の力は血塊を積極的に分解するために大きく寄与していることが理解されるであろう。
【０１１３】
図２２３乃至図２２６
フィルタデバイス５００の逆に似たフィルタデバイス７６０は、平面ろ過スクリーンを有する近位ループ７６２に延びるらせんコイル遠位支持部７６１が提供される。スクリーンの解放によって、血塊が存在する場合には血塊は血管壁とスクリーンとの間にとらわれる。代替的に、縦方向の支持部材に連結された近位及び遠位支持フープが、平面ろ過スクリーンが近位支持部の近位頂部と遠位支持部の遠位頂部との間に取り付けられているらせん支持部の代わりに、提供されることができる。平面ろ過スクリーンは、血流を妨げないように、開状態で半径方向に湾曲した表面を有する。
【０１１４】
図２２７乃至図２２８
フィルタデバイス７８０は、近位支持フープ７８１、中間ストラット７８２及び遠位支持フープ７８３を備える。遠位支持フープ７８３は、格子構造をもつフィルタ７８４を支持する。これは、フィルタ格子７８４の自由端及びＶ字状リンク部材７８５を固定する生物分解性ホルダ部材による解放によって血管壁の方へ付勢される。血塊は、閉じた状態で血管壁の一方側にとらわれ、血塊が存在する場合には開状態への変換時に血管壁とフィルタ格子７８４との間に捕らわれる。フィルタ格子は、支持フレーム上の一つ以上の位置で連結される。付加的な連結が、付加的な半径方の力を提供し、その格子を変換時に血管壁に押し付けるのを助ける。図示のように、格子は、開状態で血流を妨げないように半径方向に湾曲される。また、格子は、生物分解性／生物学的安定性のフィルタスクリーンを有するループ形態で提供される。
【０１１５】
図２２９乃至図２３３
フィルタデバイス８００は、ステントのような支持部８０１と、フィルタ要素８０２を有し、フィルタ要素８０２は、支持中間ストラットから近位方向に延び、遠位方向に延びるように曲がり、支持部を横切って延びる解放可能なテンショナー８０３によって保持される軸線上に交差する。解放可能なテンショナー８０３は、遠位支持リングからコーンの頂部を通じて延びる。変換は、一つ又は二つのステップで生じる。一つのステップでの変換：フィルタ要素は、血管壁にスプリングバックし、血塊が存在する場合には血塊を溶解が完了するまで血管壁に対して捕らえる。（図示のように）二つのステップの変換：（１）
保護期間の後に、コーンの頂部を近位方向に形成するために逆向きコーンは戻り、（２）追加の期間の後に、コーンは変換され、血塊が存在する場合には血塊を溶解が完了するまで血管壁に対して捕らえる。
【０１１６】
図２３４乃至図２３９
フィルタデバイス８２０は、血塊振動（aggitation）保持特徴を備える。フィルタデバイス８２０は、ステントのような支持部８２１、生物分解性結合部８２４によって直線状フィルタアーム８２３に連結されたＬ字状のフィルタアーム８２２を有する。ホルダは、血管の中心のＬの頂部にＬ字状の捕捉アーム８２２を結合する（図２３４及び図２３５）。Ｌ字状の捕捉アームの短いセクションはねじられて、生物分解性結合部８２４はそれを隣接する直線状捕捉アームに結合する。結合部８２４は、好ましくは、最初に減成する。このような場合は、直線状捕捉アーム８２３は、血管壁に戻り、ねじれたＬ字状アーム８２２は、切断動作を提供するために解放して捕捉コーンから突出する血塊を除去する。頂部にあるホルダは、二番目に減成し、血塊を小さい破片に分解するためにこのときに切断動作を生じる（図２３７、図２３８）。血塊を切断後、Ｌ字状捕捉アーム８２２は、血塊が取り付けられていれば血塊と共に血管壁に戻り、小さな血塊を均一な小さい血塊に分解するために三番目の切断動作を提供する（図２３８、図２３９）。全ての血塊が取り除かれると、Ｌ字状の捕捉アーム８２２は、流れを閉塞しない形状をとる（図２３９）。図２３４は、一つのＬ字状の捕捉アーム及び隣接する直線状捕捉アームを単に示すことに留意する。
【０１１７】
これらは、フィルタ要素がエネルギを保存するために曲げられ、捕捉された血塊に影響を与えるために変換でほどかれるデバイスの例である。従って、多くの場合には、血塊は変換後にすぐに分解されるために、保持時間は、ａ）血塊が分解される短い時間、又はｂ）血塊を分解する短い時間、及び、分解された血塊がフィルタに取り付けられたままであり体によって溶解される追加の時間のいずれかであり、溶解時間は血塊が分解されなかった場合にそれが行われるよりも短い。
【０１１８】
図２４０乃至図２４３
円錐形フィルタデバイス８４０は、多数の直線状捕捉アーム及び多数の輪郭づけられたヒートセット捕捉アームを備える。輪郭づけられた捕捉アーム８４２は、遠位端部に向かう三角形状部８４３を含む。輪郭づけられた捕捉アームは、曲線、らせん状、多角形などの代替的な形状を包含することができることが理解されよう。直線状捕捉アームは、頂部で互いに連結され、第１の生物分解性抑制部をもつコーンを形成する。輪郭づけられた捕捉アーム８４２は、曲げられ（０−１８０度）、輪郭形状は、コーンの中に突出され、第２の生物分解性抑制部をもつ頂部で互いに連結される。第２の生物分解性抑制部は、第１の生物分解性抑制部に連結される。これは、曲げられた輪郭づけられた捕捉アームが解けるのを抑制する。最初の保護期間中、血塊は、輪郭づけられた捕捉アームと直線状捕捉アームとの間で捕捉される。第１の生物分解性抑制部と第２の生物分解性抑制部との間の結合手段は、最初に減成し、曲げられた捕捉アームが解かれて血塊が存在する場合には血塊を分割するのを許容する。結合手段は、捕捉アームを保持するために抑制特徴よりも減少した引張強度を有するいずれかの抑制部と一体にすることができる。捕捉アームは、あらゆる意図的な順番でそれぞれの抑制部を破壊することができる。直線状捕捉アームの前にその抑制を破るために輪郭づけられた捕捉アームを設定でき、これは、血塊が輪郭づけられたセクションに取り付けられ、直線状結合部と相互作用している場合にはさらに血塊を破壊する。代替的に、直線状捕捉アームは、第１にこれらの拘束を破壊し、血管壁に戻る。これは、通路を血管壁に対して、輪郭づけられたアームに取り付けられた血塊の妨げられていない通路を許容する。又は、輪郭づけられた捕捉アーム及び直線状捕捉アームの双方は、同時にそれらの抑制を破壊することができる。
【０１１９】
図２４４乃至図２４６
フィルタデバイス８６０では、正弦波形状の捕捉アーム８６１が利用され、全てのアームは曲げられ、生物分解性ホルダと頂部で結合される。小穴は、曲げられたアームが解かれるのを防止するように構成される。生物分解時に、曲げられたアームは、解いて、血塊が存在する場合には小さい破片の血塊を切断する。正弦波パターンは、異なる配向に提供されることができることが理解される。例えば、各捕捉アームは、それらの中心軸に沿って９０度に配向されることができる。
【０１２０】
図２４７乃至図２５２
フィルタデバイス８８０では、血塊切断特性をもつ実質的にコーン形状であるらせん／湾曲したフィルタがある。個々のフィルタ要素は、図２５２に最もよく図示されている。近位支持フープは、多数の支持リングを備える。また、遠位支持リングは、その中間に縦方向の支持部を備える。軸方向の図が、図２４９乃至図２５２、デバイス９００、アーム９０１及び血管９０２に示される。
【０１２１】
捕捉アーム８８１／８８２又は９０１は、らせん又は湾曲したパターンで近位支持フープ又は血管壁からコーンの頂部まで遠位方向に延びる。頂部において、各捕捉アーム又は少なくとも一つの捕捉アームは、方向を変えて、近位方向外方に延びる。捕捉アームは、生物分解性材料と共に結合される。生物分解時に血塊が存在する場合には、近位方向に延びる捕捉アームの部分は、血塊を小さな破片に分解する。血塊の部分は、フィルタ要素８８１及び８８２にさらに取り付けられ、そうである場合、溶解が完了されることができる血管壁に保持される。らせんパターンは、時計回りまたは反時計回りの方向に延びる。らせんパターンは、例えば、血管壁又は支持構造に連結された近位端部に沿って縦方向のポイントに戻って移動することの代わりに、変換時に平面の外に移動するためにヒートセットされ、それは、血管壁においてその近位端部から縦方向にオフセットされたポイントに移動する。
【０１２２】
図２５３乃至図２５５
リングフィルタデバイス９２０は、さまざまな反転の度合いで、多数の縦方向に離間したリング９２２及び９２３によって画定された血塊のためのらせん受け入れスペースを備える。反転は、リングの一方側が、反転する前に内側凹面が対向する凹面に面し、反転後に内側凹面が対向する凹面に面するリングの他方の側に向いて半径方向内方に引っ張られる部分である。リングは、縦方向の支持部で互いに連結される。反転されたリングは、生物分解性結合部又はつなぎ綱で反転されて保持される。生物分解時に、反転リングは、一組の非反転リングを形成するために解かれる。この処理中、血塊が存在する場合には血塊は、血管壁まで押し上げられ、及び／又は小さな破片に切断される。図２５３は、リングがどのように配置されているかについての等角図を示す。さまざまな反転の度合い及び反転の配向が利用されることが理解される。図２５４及び図２５５は、ろ過輪郭の端部及び各リングがいかに縦方向の結合部材と離間されているかについて示す。生物分解性結合部材及びつなぎ綱は図示されない。例えば、ノッチは、各リングの各リングの対向する一組の四分円に提供される。リングの半分は、反転され、一方のノッチから他方のノッチまで延びる生物分解性つなぎ綱で正しい位置に保持される。Ｓ字状曲線は、ヒンジとして作用するように提供され、反転を援助する。代替的に、リングは、円形または短い筒に延びる正弦波パターンを有し、正弦波パターンは反転を援助する。
【０１２３】
図２５６乃至図２５９
円錐フィルタ９４２は、フィルタ要素スパイクを有するステントのような支持部９４１を備えるフィルタデバイス９４０で提供される。スパイクは、変換後に血塊が存在する場合には溶解処理が完了するまで血塊を保持する。スパイクは、フィルタ要素といいタイに形成されることができ、又は、生物分解性／生物学的安定性の構成要素として取り付けられることができる。生物分解性の構成要素が好ましい。
【０１２４】
図２６０乃至図２６４
デバイス９６０では、円錐フィルタ９６１は、血塊保持特徴部９６２を備える。血塊が完全に溶解されていない場合は、血塊は、保持特徴部の周囲に形成される。変換時に、血塊が血管壁に保持されるように、保持特徴部９６２が遠位方向／近位方向に飛び跳ねる。保持特徴部は、保持茎部の周りに様々な度合いで配向された保持アームを包含することが理解される。
【０１２５】
図２６３及び図２６４
これは、上述の原理に基づくデバイス９８０の軸方向の図である。支持リング９８１は、Ｖ字状アームを支持し、支持保持特徴部９８３を支持する。また、遠位支持リングはそれらの間に縦方向の支持部を備える。
【０１２６】
図２６５乃至図２７０
デバイス１０００では、円錐フィルタ１００１は、血塊が存在する場合には血塊を手動的に刻むための手段１００３を備える。わな／投げ縄カテーテルは、近位フック１００３を捕まえる近位端部まで前進される。わな／投げ縄が締結されると、近位捕捉アームは血塊を小さな破片に切断する。また、フックは、デバイスを回収するのに使用され、又は、代替的に、頂部にある結合部材が減成して各捕捉アームが血管壁に戻る。多数の近位及び／又は遠位支持リングが提供される。ホルダ１００２は、時間の経過後に減成し、血流が制限されない開状態にフィルタを変換する。
【０１２７】
図２７１乃至図２７４
デバイス１０２０では、はさみフィルタ１０２１は、血塊が存在する場合には血塊を手動的に刻むための手段を備える。わな／投げ縄カテーテルは、近位フックを捕まえる近位端部まで前進される。わな／投げ縄が締結されると、近位フィルタ要素は血塊を小さな破片に切断する。締結されたわな／投げ縄が近位方向に引っ張られると、はさみ捕捉アーム構成は、血塊を均一な小さい血塊に切断する。また、フックは、デバイスを回収するのに使用され、又は、代替的に、頂部にある結合部材が減成して各捕捉アームが血管壁に戻る。はさみの各セルは、様々な配向を有することが理解される。これは、より効率的なろ過を提供し、例えば、図２７１乃至図２７４の目的が血管の中心を横切って延びる単一の直線を示すのに対して、この目的は、各閉じたセルの変更可能な配向を図示する。多数の近位及び／又は遠位支持リングが提供される。
【０１２８】
図２７５乃至図２８３
様々な実施形態において、フィルタ要素は、予め形成され又はヒートセットされ、血流を制限しないために軸方向から見て開状態の弧の輪郭を有する。代替的に、フィルタ要素は、血流を制限しないために開状態で血管壁と一致するように可撓性であり、これは、血管の直径の広い範囲で動作するように予め形状づけられた輪郭よりも有利である。好ましくは、フィルタ要素は、減成可能なアタッチメントに対して急な角度を有し、これは、フィルタ要素が簡単に任意の内皮細胞増殖の外に摺動するのを許容する。好ましくは、フィルタ要素は、変換中フィルタ要素の動きの平面に対して垂直な角度で支持フレームに取り付けられる。また、フィルタ要素は、それぞれ、閉じた状態で短く又は長くなるように圧縮され又は拡張される。変換時には、蓄積されたエネルギは、フィルタ要素を制限のない状態まで戻す。また、フィルタ要素は、減成可能なアタッチメントに対してより急な角度を提供する縦方向の曲率を有し、フィルタ要素は、閉じた状態で圧縮されることができ、開状態で長い実質的に長手方向の直線形状に戻る縦方向の曲線を有する。
【０１２９】
図２７５及び図２７６は、近位支持フープ１０５２、縦方向のストラット１０５１、及び遠位支持フープ１０５３を有するフィルタデバイス１０５０を示す。単一のフィルタ要素は、生物分解性結合部によって支持部１０５１に連結された、直径を横切って延びるアーム１０５６上にクロス構成部１０５５を備える。図２７６の閉じた状態では、血塊は血管壁に導かれ、変換時に、血塊が存在する場合には血塊は、フィルタ要素と血管壁との間で圧縮される。多数のクロス構成部が、捕捉効果及び血塊保持特性を高めるために提供される。
【０１３０】
図２７７は、近位支持フープ１１０２、縦方向のストラット１１０１、及び遠位支持フープ１１０３を有するフィルタデバイス１１００を示す。フィルタ要素は、支持部を横切って延びるアーム１１０５と、傾斜支持ループ１１０６とを備える。生物分解性結合部は、アーム１１０５を支持部に結合する。図２７８及び図２７９は、アームによって保持された様々なループがあるバリエーションを示す。図２７８のデバイスには、４つのループ１１２０があり、図２７９のデバイスには、５つのループ１１３０がある。アームは、図２７９のデバイスではループとして提供される。
【０１３１】
図２８０は、ループ１１５２を支持し、支持部に対して直角に結合部１１５３によって支持部に結合されたフィルタ要素アーム１１５１を有するデバイスを示す。この構成は、内皮細胞増殖が生物分解性結合部に悪影響を与えるのを防止する。
【０１３２】
図２８１は、閉じたときに直線状に伸ばされ、ゆるんだときに曲げられるフィルタ要素１１６１を有するデバイス１１６０を示し、それは、血管側壁に対してより良く適合する。
【０１３３】
伸ばされていない可撓性フィルタ要素は、図２８１のデバイスと同じに見え、変換時に、枝又はループは、図２７５の血管壁に適合するように曲げられてみえる。
【０１３４】
図２８２及び図２８３は、閉じられたときに曲がり開いたときにまっすぐになるフィルタ要素１１７１を有するデバイス１１７０を示す。フィルタ要素は、可撓性側枝１１７２がフィルタ要素１１７１と同じ平面で延びるように、図２８２の閉じた状態で見ることができない可撓性側枝１１７２で取り付けられる。図２８３は、フィルタ要素１１７１が外側にまっすぐ伸び、可撓性側枝１１７２が血管壁に適合するようにみることができる、開状態を示す。デバイスの軸方向からの図は、フィルタ要素が血流を妨げない中空円筒のようにみえる。
【０１３５】
図２８４乃至図２８７（ダブルリバースコーン形状フィルタ）
支持部１２０１を有するデバイス１２００では、近位コーン形状フィルタ１２０２は、遠位コーン形状フィルタ１２０３と比較して細かい捕捉効率を有する。近位フィルタ１２０２のホルダが最初に減成され、第１の期間の間大きな及び小さな血塊粒子の保護を提供する。粒子が存在する場合には、粒子は、溶解が完了するまで血管壁で変換後も保持される。遠位コーン形状フィルタ１２０３は、後の段階で減成し、変換まで第２の期間の間荒いろ過を提供し、血塊が存在する場合には血塊は、溶解が完了するまで血管壁に捕らわれる。従って、この実施形態では、二つのサイクルの捕捉、変換及び保持がある。患者は、肺予備能が損なわれる可能性があるので、初期段階で高い捕捉効率を必要とすることが想像される。肺予備能が復元された後、保護は、大きな血塊に対して必要とされるだけであり、これは、小さな粒子の過度の捕捉を阻止するために遠位フィルタ１２０３の可能性を避ける。
【０１３６】
図２８８乃至図２９１（ダブルリバースコーン形状フィルタ）
デバイス１３００は、支持部１３０１、Ｖ形状部材１３０３を有するコーン形状近位フィルタ１３０２、及び、遠位コーン形状フィルタ１３０５を有する。これは、デバイス１２００として非常に動作するが、フィルタ捕捉効率は、近位フィルタ１３０２の各第２のペアのフィルタ要素を連結するＶ形状部材によって提供される。
【０１３７】
図２９２乃至図２９５（ダブル直面するコーン形状フィルタ）
デバイス１４００では、支持部１４０１、遠位方向に面する頂部を有する近位コーン形状フィルタ１４０２、及び、近位方向に面する頂部を有する遠位コーン形状フィルタ１４０３がある。近位フィルタ１４０２は、遠位フィルタ１４０３と比較すると細かい捕捉効率を有する。近位フィルタホルダは、最初に減成され、第１の期間の間大きな及び小さな粒子の保護を提供する。粒子が存在する場位、粒子は、遠位フィルタ１４０３に解放され、小さな粒子は、遠位フィルタ１４０３を通って流れるが、大きな粒子は、捕捉される。遠位フィルタは、後の段階で減成され、その変換まで第２の期間の間粗いろ過を提供し、血塊が存在する場合には、血塊は、溶解が完了するまで血管壁に保持される。患者は、肺予備能が損なわれる可能性があるので、初期段階で高い捕捉効率を必要とすることが想像される。肺予備能が復元された後、保護は、大きな血塊に対して必要とされるだけであり、これは、小さな粒子の過度の捕捉を阻止するために遠位フィルタ１２０３の可能性を避ける。
【０１３８】
図２９６乃至図３０１（ダブル反対向きコーン形状フィルタ）
デバイス１５００は、支持部１５０１、近位方向に面する頂部を有する近位コーン形状フィルタ１５０２、及び、遠位方向に面する頂部を有する遠位コーン形状フィルタ１５０３を有する。近位フィルタ１５０２は、遠位フィルタ１５０３と比較すると細かい捕捉効率を有する。近位フィルタホルダは、最初に減成され、第１の期間の間大きな及び小さな粒子の保護を提供する。粒子が存在する場位、粒子は、溶解が完了するまで血管壁に保持される。遠位フィルタは、後の段階で減成され、第２の期間の間粗いろ過を提供する。患者は、肺予備能が損なわれる可能性があるので、初期段階で高い捕捉効率を必要とすることが想像される。肺予備能が復元された後、保護は、大きな血塊に対して必要とされるだけであり、これは、小さな粒子の過度の捕捉を阻止するために遠位コーンの可能性を避ける。
【０１３９】
このように、本発明のフィルタは上述の二つの段階を備え、又は実際にさらなる遠位フィルタとして二つ以上を設けてもよいということが理解される。デバイスの単一のフィルタが変換後に血塊保持を実行することが好ましいが、血塊保持は後変換を持つホルダを有する第２又は続いて起こる遠位フィルタの存在によって達成されることができる。
【０１４０】
ダブルコーンデバイスは、遠位方向に面する頂部を有することができる。
【０１４１】
多数段階のフィルタが一つ以上の完全な分解フィルタ及びホルダを有する一つ以上の可変フィルタを備えることが理解される。
【０１４２】
本発明は、フィルタが開いた後に血流に解放される血塊の問題を成功的に処理することが理解される。これは、永久的なフィルタに代えて可変フィルタの使用で追加の信頼性の度合いを提供する。
【０１４３】
個々の生物分解性抑制部は、各捕捉アームが異なる時点で変換するのを許容するために使用される。これは、切断動作を提供する。
【０１４４】
生物分解性膜及びつなぎ綱は、血管壁に捕捉された血塊に対して追加の一時的な支持を提供するために捕捉アームに付加される。
【０１４５】
抗血栓薬／代替療法で満たされた生物分解性カプセルがフィルタに取り付けられることができる。カプセルは、変換の前に、変換中に、又は変換後に、好ましくは変換前の間に、薬剤を解放されるようにプログラムすることができる。
【０１４６】
フィルタの変換時には、溶解するプロセスを完了していない捕捉された血塊が解放されるというリスクがある。血塊が解放されるのを防止するために、血塊が溶解を完了するまでフィルタの後変換によって血塊は保持される。より高い流速が最適な溶解時間を提供する血管の中央部に血塊を保持することが有利である。
【０１４７】
あらゆるフィルタは、近位支持フープと遠位支持フープとの間に接続された縦方向の支持部材を有する近位支持フープ及び遠位支持フープで構成される支持フレームに取り付けられる。近位支持フープは、遠位支持フープよりも少ない又は多い頂部を有することができ、立て軸方向の支持部は、開形状でフィルタ要素に対してスペースを提供するために直線状にされまたは曲げられることができる。代替的に、単一、二重、三重、又はそれ以上の支持フープが提供されることができる。そのような支持構造は、フィルタが作動できる中心位置で安定したプラットフォームを提供する。
【０１４８】
フィルタ要素は、支持フレームのあらゆるポイントから延びることができる。縦方向の支持部から延びるフィルタ要素は、最適な半径方向の変換力を有し、血管壁に戻ることを支援し、追加の横断面の厚さが、縦方向支持部及び／又はこれをさらに強化するために連結ポイントに配置されたろ過要素の部分に提供されることができる。フィルタ要素が支持フープの頂部から延びる場合、追加の横断面の厚さが、支持フープに局所的に又は全体に、ひょっとしたら、追加の半径方向の変換力を提供するために連結ポイントに配置されたフィルタ要素の部分に、付与されることができる。二つ以上の連結位置から延びるフィルタ要素は、一つの連結位置を有する場合よりも、高い半径方の変換力を有する。
【０１４９】
高い半径方の変換力は、血塊が存在する場合には血塊を壁に対して保持すること及び／又は血塊を分解することを援助する。フィルタ要素及び支持フレームの厚さ及び／又は断面の変更から離れて、この効果は、開状態のフィルタ要素に外方に付勢されたヒートセットを付与することによって提供される。
【０１５０】
ループ及びセルフィルタ実施形態は、単一、二重、三重、四重又はそれ以上のループ／セルが提供されることができる。ループ又はセルは、上述のように相互連結され、頂部が変換中に血管の軸線に沿って中央に置かれた中央変換を提供する。ループ又はセルは、最も小さい二つのセルが互いに対向するように軸方向に配置され、等距離にあり、又は、統計周りの方向又は反時計回りの方向に大きさが大きくなることができる。対向し等距離にある配置は、バランスのとれた信頼性の高い変換を提供する。
【０１５１】
とげが支持フレームに提供され、展開及び使用中において軸方向の移動を防止する。
【０１５２】
あらゆる実施形態が、ピン、キャップ、リング又はチューブの形態の開放可能な生体安定ホルダに適合される。生体安定ホルダは、捕まえられることができるフック、又は、生体安定ホルダの取り除きを容易にするために磁気カテーテルによって把持されることができる磁気インサートを理想的に有する。好ましくは、生体安定ピンは、小穴が摺動するのを防止する可撓性ストップ及びわなによって把持されることができるフックを備える。わなカテーテルは、カテーテルが、ピンが内側に引っ張られる際にフィルタ要素に押圧されるように受け入れスペースを有し、これは、ピンの取り除き力を安定させ、従って、血管壁への損傷を防止する。可撓性こぶは、小穴を通じて引っ張られる際に変形する。
【０１５３】
蓄積されたエネルギは、曲げたりねじったりしてフィルタ要素に付与し、解放可能な結合部で適当に固定される。結合部の解放は、フィルタ要素が、血塊が存在する場合に血塊を積極的に分解するのを許容する。
【０１５４】
介在は、一時的又は永久的に保護期間を延長するために実行される。例えば、カテーテルは、ホルダの近くにフック又は特徴部を把持し、フィルタ要素が開くのを防止するために爪、Ｃチューブ、コイル又はメモリワイヤを提供する。爪、Ｃチューブ、又はコイルは、配送カテーテルの拡張状態から、フィルタ要素を閉じた状態に保持する付勢された捕捉状態まで動く。
【０１５５】
上述のフィルタ実施形態は、あらゆる血管の一般的な塞栓保護のために使用されることができることを理解される。
【０１５６】
本発明は、添付の図面を参照しながら説明した前述の実施形態に限定されず、それは、構造と詳細を変更させることができる。
【図１】
0005643226.tif 000002
【図２】
0005643226.tif 000003
【図３】
0005643226.tif 000004
【図４】
0005643226.tif 000005
【図５】
0005643226.tif 000006
【図６】
0005643226.tif 000007
【図７】
0005643226.tif 000008
【図８】
0005643226.tif 000009
【図９】
0005643226.tif 000010
【図１０】
0005643226.tif 000011
【図１１】
0005643226.tif 000012
【図１２】
0005643226.tif 000013
【図１３】
0005643226.tif 000014
【図１４】
0005643226.tif 000015
【図１５】
0005643226.tif 000016
【図１６】
0005643226.tif 000017
【図１７】
0005643226.tif 000018
【図１８】
0005643226.tif 000019
【図１９】
0005643226.tif 000020
【図２０】
0005643226.tif 000021
【図２１】
0005643226.tif 000022
【図２２】
0005643226.tif 000023
【図２３】
0005643226.tif 000024
【図２４】
0005643226.tif 000025
【図２５】
0005643226.tif 000026
【図２６−２７】
0005643226.tif 000027
【図２８】
0005643226.tif 000028
【図２９】
0005643226.tif 000029
【図３０】
0005643226.tif 000030
【図３１】
0005643226.tif 000031
【図３２】
0005643226.tif 000032
【図３３】
0005643226.tif 000033
【図３４】
0005643226.tif 000034
【図３５】
0005643226.tif 000035
【図３６】
0005643226.tif 000036
【図３７】
0005643226.tif 000037
【図３８】
0005643226.tif 000038
【図３９】
0005643226.tif 000039
【図４０】
0005643226.tif 000040
【図４１】
0005643226.tif 000041
【図４２】
0005643226.tif 000042
【図４３】
0005643226.tif 000043
【図４４】
0005643226.tif 000044
【図４５】
0005643226.tif 000045
【図４６】
0005643226.tif 000046
【図４７】
0005643226.tif 000047
【図４８】
0005643226.tif 000048
【図４９】
0005643226.tif 000049
【図５０】
0005643226.tif 000050
【図５１】
0005643226.tif 000051
【図５２】
0005643226.tif 000052
【図５３】
0005643226.tif 000053
【図５４】
0005643226.tif 000054
【図５５】
0005643226.tif 000055
【図５６】
0005643226.tif 000056
【図５７】
0005643226.tif 000057
【図５８】
0005643226.tif 000058
【図５９】
0005643226.tif 000059
【図６０】
0005643226.tif 000060
【図６１】
0005643226.tif 000061
【図６２】
0005643226.tif 000062
【図６３】
0005643226.tif 000063
【図６４】
0005643226.tif 000064
【図６５】
0005643226.tif 000065
【図６６】
0005643226.tif 000066
【図６７】
0005643226.tif 000067
【図６８】
0005643226.tif 000068
【図６９】
0005643226.tif 000069
【図７０】
0005643226.tif 000070
【図７１】
0005643226.tif 000071
【図７２】
0005643226.tif 000072
【図７３】
0005643226.tif 000073
【図７４】
0005643226.tif 000074
【図７５】
0005643226.tif 000075
【図７６】
0005643226.tif 000076
【図７７】
0005643226.tif 000077
【図７８】
0005643226.tif 000078
【図７９】
0005643226.tif 000079
【図８０】
0005643226.tif 000080
【図８１】
0005643226.tif 000081
【図８２】
0005643226.tif 000082
【図８３】
0005643226.tif 000083
【図８４】
0005643226.tif 000084
【図８５】
0005643226.tif 000085
【図８６】
0005643226.tif 000086
【図８７】
0005643226.tif 000087
【図８８】
0005643226.tif 000088
【図８９】
0005643226.tif 000089
【図９０】
0005643226.tif 000090
【図９１】
0005643226.tif 000091
【図９２】
0005643226.tif 000092
【図９３】
0005643226.tif 000093
【図９４】
0005643226.tif 000094
【図９５】
0005643226.tif 000095
【図９６】
0005643226.tif 000096
【図９７】
0005643226.tif 000097
【図９８】
0005643226.tif 000098
【図９９】
0005643226.tif 000099
【図１００】
0005643226.tif 000100
【図１０１】
0005643226.tif 000101
【図１０２】
0005643226.tif 000102
【図１０３】
0005643226.tif 000103
【図１０４】
0005643226.tif 000104
【図１０５】
0005643226.tif 000105
【図１０６】
0005643226.tif 000106
【図１０７】
0005643226.tif 000107
【図１０８】
0005643226.tif 000108
【図１０９】
0005643226.tif 000109
【図１１０】
0005643226.tif 000110
【図１１１】
0005643226.tif 000111
【図１１２】
0005643226.tif 000112
【図１１３】
0005643226.tif 000113
【図１１４】
0005643226.tif 000114
【図１１５】
0005643226.tif 000115
【図１１６】
0005643226.tif 000116
【図１１７】
0005643226.tif 000117
【図１１８】
0005643226.tif 000118
【図１１９】
0005643226.tif 000119
【図１２０】
0005643226.tif 000120
【図１２１】
0005643226.tif 000121
【図１２２】
0005643226.tif 000122
【図１２３】
0005643226.tif 000123
【図１２４】
0005643226.tif 000124
【図１２５】
0005643226.tif 000125
【図１２６】
0005643226.tif 000126
【図１２７】
0005643226.tif 000127
【図１２８】
0005643226.tif 000128
【図１２９】
0005643226.tif 000129
【図１３０】
0005643226.tif 000130
【図１３１】
0005643226.tif 000131
【図１３２】
0005643226.tif 000132
【図１３３】
0005643226.tif 000133
【図１３４】
0005643226.tif 000134
【図１３５】
0005643226.tif 000135
【図１３６】
0005643226.tif 000136
【図１３７】
0005643226.tif 000137
【図１３８】
0005643226.tif 000138
【図１３９】
0005643226.tif 000139
【図１４０】
0005643226.tif 000140
【図１４１】
0005643226.tif 000141
【図１４２】
0005643226.tif 000142
【図１４３】
0005643226.tif 000143
【図１４４】
0005643226.tif 000144
【図１４５】
0005643226.tif 000145
【図１４６】
0005643226.tif 000146
【図１４７】
0005643226.tif 000147
【図１４８】
0005643226.tif 000148
【図１４９】
0005643226.tif 000149
【図１５０】
0005643226.tif 000150
【図１５１】
0005643226.tif 000151
【図１５２】
0005643226.tif 000152
【図１５３】
0005643226.tif 000153
【図１５４】
0005643226.tif 000154
【図１５５】
0005643226.tif 000155
【図１５６】
0005643226.tif 000156
【図１５７（ａ）】
0005643226.tif 000157
【図１５７（ｂ）】
0005643226.tif 000158
【図１５７（ｃ）】
0005643226.tif 000159
【図１５７（ｄ）】
0005643226.tif 000160
【図１５７（ｅ）】
0005643226.tif 000161
【図１５７（ｆ）】
0005643226.tif 000162
【図１５７（ｇ）】
0005643226.tif 000163
【図１５７（ｈ）】
0005643226.tif 000164
【図１５７（ｉ）】
0005643226.tif 000165
【図１５７（ｊ）】
0005643226.tif 000166
【図１５８】
0005643226.tif 000167
【図１５９】
0005643226.tif 000168
【図１６０】
0005643226.tif 000169
【図１６１】
0005643226.tif 000170
【図１６２】
0005643226.tif 000171
【図１６３】
0005643226.tif 000172
【図１６４】
0005643226.tif 000173
【図１６５】
0005643226.tif 000174
【図１６６】
0005643226.tif 000175
【図１６７】
0005643226.tif 000176
【図１６８】
0005643226.tif 000177
【図１６９】
0005643226.tif 000178
【図１７０】
0005643226.tif 000179
【図１７１】
0005643226.tif 000180
【図１７２】
0005643226.tif 000181
【図１７３】
0005643226.tif 000182
【図１７４】
0005643226.tif 000183
【図１７５】
0005643226.tif 000184
【図１７６】
0005643226.tif 000185
【図１７７】
0005643226.tif 000186
【図１７８】
0005643226.tif 000187
【図１７９】
0005643226.tif 000188
【図１８０】
0005643226.tif 000189
【図１８１】
0005643226.tif 000190
【図１８２】
0005643226.tif 000191
【図１８３】
0005643226.tif 000192
【図１８４】
0005643226.tif 000193
【図１８５】
0005643226.tif 000194
【図１８６】
0005643226.tif 000195
【図１８７】
0005643226.tif 000196
【図１８８】
0005643226.tif 000197
【図１８９】
0005643226.tif 000198
【図１９０】
0005643226.tif 000199
【図１９１】
0005643226.tif 000200
【図１９２】
0005643226.tif 000201
【図１９３】
0005643226.tif 000202
【図１９４】
0005643226.tif 000203
【図１９５】
0005643226.tif 000204
【図１９６】
0005643226.tif 000205
【図１９７】
0005643226.tif 000206
【図１９８】
0005643226.tif 000207
【図１９９】
0005643226.tif 000208
【図２００】
0005643226.tif 000209
【図２０１】
0005643226.tif 000210
【図２０２】
0005643226.tif 000211
【図２０３】
0005643226.tif 000212
【図２０４】
0005643226.tif 000213
【図２０５】
0005643226.tif 000214
【図２０６】
0005643226.tif 000215
【図２０７】
0005643226.tif 000216
【図２０８】
0005643226.tif 000217
【図２０９】
0005643226.tif 000218
【図２１０】
0005643226.tif 000219
【図２１１】
0005643226.tif 000220
【図２１２】
0005643226.tif 000221
【図２１３】
0005643226.tif 000222
【図２１４】
0005643226.tif 000223
【図２１５】
0005643226.tif 000224
【図２１６】
0005643226.tif 000225
【図２１７】
0005643226.tif 000226
【図２１８】
0005643226.tif 000227
【図２１９】
0005643226.tif 000228
【図２２０】
0005643226.tif 000229
【図２２１】
0005643226.tif 000230
【図２２２】
0005643226.tif 000231
【図２２３】
0005643226.tif 000232
【図２２４】
0005643226.tif 000233
【図２２５】
0005643226.tif 000234
【図２２６】
0005643226.tif 000235
【図２２７】
0005643226.tif 000236
【図２２８】
0005643226.tif 000237
【図２２９】
0005643226.tif 000238
【図２３０】
0005643226.tif 000239
【図２３１】
0005643226.tif 000240
【図２３２】
0005643226.tif 000241
【図２３３】
0005643226.tif 000242
【図２３４】
0005643226.tif 000243
【図２３５】
0005643226.tif 000244
【図２３６】
0005643226.tif 000245
【図２３７】
0005643226.tif 000246
【図２３８】
0005643226.tif 000247
【図２３９】
0005643226.tif 000248
【図２４０】
0005643226.tif 000249
【図２４１】
0005643226.tif 000250
【図２４２】
0005643226.tif 000251
【図２４３】
0005643226.tif 000252
【図２４４】
0005643226.tif 000253
【図２４５】
0005643226.tif 000254
【図２４６】
0005643226.tif 000255
【図２４７】
0005643226.tif 000256
【図２４８】
0005643226.tif 000257
【図２４９】
0005643226.tif 000258
【図２５０】
0005643226.tif 000259
【図２５１】
0005643226.tif 000260
【図２５２】
0005643226.tif 000261
【図２５３】
0005643226.tif 000262
【図２５４】
0005643226.tif 000263
【図２５５】
0005643226.tif 000264
【図２５６】
0005643226.tif 000265
【図２５７】
0005643226.tif 000266
【図２５８】
0005643226.tif 000267
【図２５９】
0005643226.tif 000268
【図２６０】
0005643226.tif 000269
【図２６１】
0005643226.tif 000270
【図２６２】
0005643226.tif 000271
【図２６３】
0005643226.tif 000272
【図２６４】
0005643226.tif 000273
【図２６５】
0005643226.tif 000274
【図２６６】
0005643226.tif 000275
【図２６７】
0005643226.tif 000276
【図２６８】
0005643226.tif 000277
【図２６９】
0005643226.tif 000278
【図２７０】
0005643226.tif 000279
【図２７１】
0005643226.tif 000280
【図２７２】
0005643226.tif 000281
【図２７３】
0005643226.tif 000282
【図２７４】
0005643226.tif 000283
【図２７５】
0005643226.tif 000284
【図２７６】
0005643226.tif 000285
【図２７７】
0005643226.tif 000286
【図２７８】
0005643226.tif 000287
【図２７９】
0005643226.tif 000288
【図２８０】
0005643226.tif 000289
【図２８１】
0005643226.tif 000290
【図２８２】
0005643226.tif 000291
【図２８３】
0005643226.tif 000292
【図２８４】
0005643226.tif 000293
【図２８５】
0005643226.tif 000294
【図２８６】
0005643226.tif 000295
【図２８７】
0005643226.tif 000296
【図２８８】
0005643226.tif 000297
【図２８９】
0005643226.tif 000298
【図２９０】
0005643226.tif 000299
【図２９１】
0005643226.tif 000300
【図２９２】
0005643226.tif 000301
【図２９３】
0005643226.tif 000302
【図２９４】
0005643226.tif 000303
【図２９５】
0005643226.tif 000304
【図２９６】
0005643226.tif 000305
【図２９７】
0005643226.tif 000306
【図２９８】
0005643226.tif 000307
【図２９９】
0005643226.tif 000308
【図３００】
0005643226.tif 000309
【図３０１】
0005643226.tif 000310